【手続補正書】
【提出日】平成30年12月20日(2018.12.20)
【手続補正１】
【補正対象書類名】特許請求の範囲
【補正対象項目名】全文
【補正方法】変更
【補正の内容】
【特許請求の範囲】
【請求項１】
以下の構造：
【化３８】
2018505262.tif 000001
［式中、「ｍ」と「ｎ」との比は、１．０％〜２．０％の架橋を有するポリマーを与える］
を有する架橋カリウム結合ポリマーのカルシウム塩。
【請求項２】
ｍ対ｎの比が、６８：１である、請求項１に記載の架橋カリウム結合ポリマー。
【請求項３】
１グラムのポリマー当たり約３グラムの水〜１グラムのポリマー当たり約８グラムの水の水中膨潤率によって特徴付けられる、請求項１に記載の架橋カリウム結合ポリマー。
【請求項４】
１グラムのポリマー当たり約３グラムの水〜１グラムのポリマー当たり約４．５グラムの水の水中膨潤率によって特徴付けられる、請求項１に記載の架橋カリウム結合ポリマー。
【請求項５】
１グラムのポリマー当たり約３．３グラムの水の水中膨潤率によって特徴付けられる、請求項１に記載の架橋カリウム結合ポリマー。
【請求項６】
１グラムのポリマー当たり約４．３グラムの水の水中膨潤率によって特徴付けられる、請求項１に記載の架橋カリウム結合ポリマー。
【請求項７】
約５μｍ〜約１３０μｍの中位径を有する実質的に球状の粒子をさらに含む、請求項１に記載の架橋カリウム結合ポリマー。
【請求項８】
前記粒子が、約８０μｍ〜約１３０μｍの平均粒径Ｄｖ（０．９）を有する、請求項７に記載の架橋カリウム結合ポリマー。
【請求項９】
前記粒子が、約９０μｍ〜約１２０μｍの平均粒径Ｄｖ（０．９）を有する、請求項７に記載の架橋カリウム結合ポリマー。
【請求項１０】
前記粒子が、約４０μｍ〜約７０μｍの平均粒径Ｄｖ（０．９）を有する、請求項７に記載の架橋カリウム結合ポリマー。
【手続補正２】
【補正対象書類名】明細書
【補正対象項目名】００５５
【補正方法】変更
【補正の内容】
【００５５】
本発明の別の態様は、
ｉ）約１０％〜約２６％の式（Ｉ）の架橋カリウム結合ポリマーのカルシウム塩および薬学的に許容されるその塩；
ｉｉ）約０．０１％〜約０．５％のクエン酸カルシウム四水和物；
ｉｉｉ）約０．０１％〜約０．１％のソルビン酸；
ｉｖ）約０．００１％〜約０．１％の無水クエン酸；
ｖ）約０．０５％〜約０．１５％のスクラロース；
ｖｉ）約０．１％〜約１．０％のＳｕｐｅｒＶａｎ  ａｒｔバニラＶＭ３６；
ｖｉｉ）約０．１％〜約１．０％のキサンタンガムｃｐ；
ｖｉｉｉ）約０．１％〜約１．０％の二酸化チタン；ならびに
ｉｘ）約７３．２％〜約８６．６５％の水
を含む医薬組成物に関する。
本発明の実施形態において、例えば以下の項目が提供される。
（項目１）
式（Ｉ）の構造：
【化２４】
2018505262.tif 000002
［式中、
各Ｒ１は、Ｈ、置換または非置換（Ｃ１〜Ｃ６）アルキル、置換または非置換（Ｃ６〜Ｃ１８）アリール、−Ｓ（Ｏ）２ＯＨ、−ＯＳ（Ｏ）２ＯＨ、−Ｃ（Ｏ）ＯＨ、−ＰＯ（ＯＨ）２、−ＯＰ（ＯＨ）３、および−ＮＨＳ（Ｏ）２ＯＨからなる群から独立に選択され、
各Ｒ２は、Ｈ、置換または非置換（Ｃ１〜Ｃ６）アルキル、置換または非置換（Ｃ６〜Ｃ１８）アリール、−Ｓ（Ｏ）２ＯＨ、−ＯＳ（Ｏ）２ＯＨ、−Ｃ（Ｏ）ＯＨ、−ＰＯ（ＯＨ）２、−ＯＰ（ＯＨ）３、および−ＮＨＳ（Ｏ）２ＯＨからなる群から独立に選択され、
各Ｒ３は、Ｈ、ハロゲン、置換または非置換（Ｃ１〜Ｃ６）アルキル、置換または非置換（Ｃ６〜Ｃ１８）アリール、−Ｓ（Ｏ）２ＯＨ、−ＯＳ（Ｏ）２ＯＨ、−Ｃ（Ｏ）ＯＨ、−ＰＯ（ＯＨ）２、−ＯＰ（ＯＨ）３、および−ＮＨＳ（Ｏ）２ＯＨからなる群から独立に選択され、
各Ｘは、非存在であるか、または置換もしくは非置換（Ｃ１〜Ｃ６）アルキルおよび置換もしくは非置換（Ｃ６〜Ｃ１８）アリールからなる群から独立に選択され、
各Ｙは、置換または非置換（Ｃ１〜Ｃ６）アルキルおよび置換または非置換（Ｃ６〜Ｃ１８）アリールからなる群から独立に選択され、
ｍ対ｎのモル比は、約１２０：１〜約４０：１である］
を有する架橋カリウム結合ポリマーのカルシウム塩または薬学的に許容されるその塩であって、
前記架橋カリウム結合ポリマーは、５％未満の架橋によって特徴付けられる、架橋カリウム結合ポリマーのカルシウム塩または薬学的に許容されるその塩。
（項目２）
ｍ対ｎの比が、約７０：１〜約５０：１である、項目１に記載の架橋カリウム結合ポリマー。
（項目３）
ｍ対ｎの比が、約７０：１〜約６０：１である、項目１または２に記載の架橋カリウム結合ポリマー。
（項目４）
ｍ対ｎの比が、約６８：１である、項目１から３のいずれか一項に記載の架橋カリウム結合ポリマー。
（項目５）
Ｙが、フェニルである、項目１から４のいずれか一項に記載の架橋カリウム結合ポリマー。
（項目６）
Ｘが、非存在またはフェニルである、項目１から５のいずれか一項に記載の架橋カリウム結合ポリマー。
（項目７）
ＸＲ１が、Ｙで置換されている炭素原子に結合しているとき、Ｘが非存在であり、Ｒ１がＨである、項目１から６のいずれか一項に記載の架橋カリウム結合ポリマー。
（項目８）
Ｒ３がＨである、項目１から７のいずれか一項に記載の架橋カリウム結合ポリマー。
（項目９）
Ｒ１およびＲ２が、それぞれ独立に、Ｈまたは−Ｓ（Ｏ）２ＯＨである、項目１から６および８のいずれか一項に記載の架橋カリウム結合ポリマー。
（項目１０）
１グラムのポリマー当たり約３グラムの水〜１グラムのポリマー当たり約８グラムの水の水中膨潤率によって特徴付けられる、項目１から９のいずれか一項に記載の架橋カリウム結合ポリマー。
（項目１１）
１グラムのポリマー当たり約３グラムの水〜１グラムのポリマー当たり約４．５グラムの水の水中膨潤率によって特徴付けられる、項目１から１０のいずれか一項に記載の架橋カリウム結合ポリマー。
（項目１２）
１グラムのポリマー当たり約３．３グラムの水の水中膨潤率によって特徴付けられる、項目１から１１のいずれか一項に記載の架橋カリウム結合ポリマー。
（項目１３）
１グラムのポリマー当たり約４．３グラムの水の水中膨潤率によって特徴付けられる、項目１から１１のいずれか一項に記載の架橋カリウム結合ポリマー。
（項目１４）
約５μｍ〜約１３０μｍの中位径を有する実質的に球状の粒子をさらに含む、項目１から１３のいずれか一項に記載の架橋カリウム結合ポリマー。
（項目１５）
前記粒子が、約８０μｍ〜約１３０μｍの平均粒径Ｄｖ（０．９）を有する、項目１４に記載の架橋カリウム結合ポリマー。
（項目１６）
前記粒子が、約９０μｍ〜約１２０μｍの平均粒径Ｄｖ（０．９）を有する、項目１４または１５に記載の架橋カリウム結合ポリマー。
（項目１７）
前記粒子が、約４０μｍ〜約７０μｍの平均粒径Ｄｖ（０．９）を有する、項目１４に記載の架橋カリウム結合ポリマー。
（項目１８）
前記粒子が、約５０μｍ〜約６０μｍの平均粒径Ｄｖ（０．９）を有する、項目１４または１７に記載の架橋カリウム結合ポリマー。
（項目１９）
前記粒子が、約６０μｍ〜約９０μｍの平均粒径Ｄｖ（０．５）を有する、項目１４から１８のいずれか一項に記載の架橋カリウム結合ポリマー。
（項目２０）
前記粒子が、約７０μｍ〜約８０μｍの平均粒径Ｄｖ（０．５）を有する、項目１４から１９のいずれか一項に記載の架橋カリウム結合ポリマー。
（項目２１）
前記粒子が、約２０μｍ〜約５０μｍの平均粒径Ｄｖ（０．５）を有する、項目１４から１８のいずれか一項に記載の架橋カリウム結合ポリマー。
（項目２２）
前記粒子が、約３０μｍ〜約４０μｍの平均粒径Ｄｖ（０．５）を有する、項目１４から１８および２１のいずれか一項に記載の架橋カリウム結合ポリマー。
（項目２３）
前記粒子が、約２０μｍ〜約７０μｍの平均粒径Ｄｖ（０．１）を有する、項目１４から２２のいずれか一項に記載の架橋カリウム結合ポリマー。
（項目２４）
前記粒子が、約３０μｍ〜約６０μｍの平均粒径Ｄｖ（０．１）を有する、項目１４から２３のいずれか一項に記載の架橋カリウム結合ポリマー。
（項目２５）
前記粒子が、約５μｍ〜約３０μｍの平均粒径Ｄｖ（０．１）を有する、項目１４から２２のいずれか一項に記載の架橋カリウム結合ポリマー。
（項目２６）
前記粒子が、約６μｍ〜約２３μｍの平均粒径Ｄｖ（０．１）を有する、項目１４から２２および２５のいずれか一項に記載の架橋カリウム結合ポリマー。
（項目２７）
Ｄｖ（０．９）：Ｄｖ（０．５）の比が、約２またはそれ未満であり、Ｄｖ（０．５）：Ｄｖ（０．１）の比が、約５またはそれ未満である、項目１から２６のいずれか一項に記載の架橋カリウム結合ポリマー。
（項目２８）
Ｄｖ（０．９）：Ｄｖ（０．５）の比およびＤｖ（０．５）：Ｄｖ（０．１）の比が、それぞれ独立に、約２またはそれ未満である、項目１から２７のいずれか一項に記載の架橋カリウム結合ポリマー。
（項目２９）
１グラムのカリウム結合ポリマー当たり約１ｍＥｑ〜約４ｍＥｑのカリウム交換能力を有する、項目１から２８のいずれか一項に記載の架橋カリウム結合ポリマー。
（項目３０）
３．５超の口あたりスコアを有する、項目１から２９のいずれか一項に記載の架橋カリウム結合ポリマー。
（項目３１）
４．５超の口あたりスコアを有する、項目１から３０のいずれか一項に記載の架橋カリウム結合ポリマー。
（項目３２）
５．０超の口あたりスコアを有する、項目１から３１のいずれか一項に記載の架橋カリウム結合ポリマー。
（項目３３）
３％未満の架橋によって特徴付けられる、項目１から３２のいずれか一項に記載の架橋カリウム結合ポリマー。
（項目３４）
約１．８％の架橋によって特徴付けられ、ここで、約という用語が±２０％を意味する、項目１から３３のいずれか一項に記載の架橋カリウム結合ポリマー。
（項目３５）
約１．８％の架橋によって特徴付けられ、ここで、約という用語が±１０％を意味する、項目１から３３のいずれか一項に記載の架橋カリウム結合ポリマー。
（項目３６）
約１．８％の架橋によって特徴付けられ、ここで、約という用語が±５％を意味する、項目１から３３のいずれか一項に記載の架橋カリウム結合ポリマー。
（項目３７）
１．８％の架橋によって特徴付けられる、項目１から３３のいずれか一項に記載の架橋カリウム結合ポリマー。
（項目３８）
式（Ｉ）の構造：
【化２５】
2018505262.tif 000003
［式中、
各Ｒ１は、Ｈ、置換または非置換（Ｃ１〜Ｃ６）アルキル、置換または非置換（Ｃ６〜Ｃ１８）アリール、−Ｓ（Ｏ）２ＯＨ、−ＯＳ（Ｏ）２ＯＨ、−Ｃ（Ｏ）ＯＨ、−ＰＯ（ＯＨ）２、−ＯＰ（ＯＨ）３、および−ＮＨＳ（Ｏ）２ＯＨからなる群から独立に選択され、
各Ｒ２は、Ｈ、置換または非置換（Ｃ１〜Ｃ６）アルキル、置換または非置換（Ｃ６〜Ｃ１８）アリール、−Ｓ（Ｏ）２ＯＨ、−ＯＳ（Ｏ）２ＯＨ、−Ｃ（Ｏ）ＯＨ、−ＰＯ（ＯＨ）２、−ＯＰ（ＯＨ）３、および−ＮＨＳ（Ｏ）２ＯＨからなる群から独立に選択され、
各Ｒ３は、Ｈ、ハロゲン、置換または非置換（Ｃ１〜Ｃ６）アルキル、置換または非置換（Ｃ６〜Ｃ１８）アリール、−Ｓ（Ｏ）２ＯＨ、−ＯＳ（Ｏ）２ＯＨ、−Ｃ（Ｏ）ＯＨ、−ＰＯ（ＯＨ）２、−ＯＰ（ＯＨ）３、および−ＮＨＳ（Ｏ）２ＯＨからなる群から独立に選択され、
各Ｘは、非存在であるか、または置換もしくは非置換（Ｃ１〜Ｃ６）アルキルおよび置換もしくは非置換（Ｃ６〜Ｃ１８）アリールからなる群から独立に選択され、
各Ｙは、置換または非置換（Ｃ１〜Ｃ６）アルキルおよび置換または非置換（Ｃ６〜Ｃ１８）アリールからなる群から独立に選択され、
ｍ対ｎのモル比は、約１２０：１〜約４０：１である］
を有する架橋カリウム結合ポリマーのカルシウム塩または薬学的に許容されるその塩であって、
前記架橋カリウム結合ポリマーは、約５μｍ〜約１３０μｍの中位径を有する実質的に球状の粒子を含み、前記架橋カリウム結合ポリマーは、約１．８％の架橋によって特徴付けられ、ここで、約という用語は±１０％を意味する、架橋カリウム結合ポリマーのカルシウム塩または薬学的に許容されるその塩。
（項目３９）
ｍ対ｎの比が、約７０：１〜約５０：１である、項目３８に記載の架橋カリウム結合ポリマー。
（項目４０）
ｍ対ｎの比が、約７０：１〜約６０：１である、項目３８または３９に記載の架橋カリウム結合ポリマー。
（項目４１）
ｍ対ｎの比が、約６８：１である、項目３８から４０のいずれか一項に記載の架橋カリウム結合ポリマー。
（項目４２）
Ｙが、フェニルである、項目３８から４１のいずれか一項に記載の架橋カリウム結合ポリマー。
（項目４３）
Ｘが、非存在またはフェニルである、項目３８から４２のいずれか一項に記載の架橋カリウム結合ポリマー。
（項目４４）
ＸＲ１が、Ｙで置換されている炭素原子に結合しているとき、Ｘが非存在であり、Ｒ１がＨである、項目３８から４３のいずれか一項に記載の架橋カリウム結合ポリマー。
（項目４５）
Ｒ３がＨである、項目３８から４４のいずれか一項に記載の架橋カリウム結合ポリマー。
（項目４６）
Ｒ１およびＲ２が、それぞれ独立に、Ｈまたは−Ｓ（Ｏ）２ＯＨである、項目３８から４３および４５のいずれか一項に記載の架橋カリウム結合ポリマー。
（項目４７）
１グラムのポリマー当たり約３グラムの水〜１グラムのポリマー当たり約８グラムの水の水中膨潤率によって特徴付けられる、項目３８から４６のいずれか一項に記載の架橋カリウム結合ポリマー。
（項目４８）
１グラムのポリマー当たり約３グラムの水〜１グラムのポリマー当たり約４．５グラムの水の水中膨潤率によって特徴付けられる、項目３８から４７のいずれか一項に記載の架橋カリウム結合ポリマー。
（項目４９）
１グラムのポリマー当たり約４．３グラムの水の水中膨潤率によって特徴付けられる、項目３８から４８のいずれか一項に記載の架橋カリウム結合ポリマー。
（項目５０）
前記粒子が、約８０μｍ〜約１３０μｍの平均粒径Ｄｖ（０．９）を有する、項目３８から４９のいずれか一項に記載の架橋カリウム結合ポリマー。
（項目５１）
前記粒子が、約９０μｍ〜約１２０μｍの平均粒径Ｄｖ（０．９）を有する、項目３８から５０のいずれか一項に記載の架橋カリウム結合ポリマー。
（項目５２）
前記粒子が、約４０μｍ〜約７０μｍの平均粒径Ｄｖ（０．９）を有する、項目３８から４９のいずれか一項に記載の架橋カリウム結合ポリマー。
（項目５３）
前記粒子が、約５０μｍ〜約６０μｍの平均粒径Ｄｖ（０．９）を有する、項目３８から４９および５２のいずれか一項に記載の架橋カリウム結合ポリマー。
（項目５４）
前記粒子が、約６０μｍ〜約９０μｍの平均粒径Ｄｖ（０．５）を有する、項目３８から５３のいずれか一項に記載の架橋カリウム結合ポリマー。
（項目５５）
前記粒子が、約７０μｍ〜約８０μｍの平均粒径Ｄｖ（０．５）を有する、項目３８から５４のいずれか一項に記載の架橋カリウム結合ポリマー。
（項目５６）
前記粒子が、約２０μｍ〜約５０μｍの平均粒径Ｄｖ（０．５）を有する、項目３８から５３のいずれか一項に記載の架橋カリウム結合ポリマー。
（項目５７）
前記粒子が、約３０μｍ〜約４０μｍの平均粒径Ｄｖ（０．５）を有する、項目３８から５３および５６のいずれか一項に記載の架橋カリウム結合ポリマー。
（項目５８）
前記粒子が、約２０μｍ〜約７０μｍの平均粒径Ｄｖ（０．１）を有する、項目３８から５７のいずれか一項に記載の架橋カリウム結合ポリマー。
（項目５９）
前記粒子が、約３０μｍ〜約６０μｍの平均粒径Ｄｖ（０．１）を有する、項目３８から５８のいずれか一項に記載の架橋カリウム結合ポリマー。
（項目６０）
前記粒子が、約５μｍ〜約３０μｍの平均粒径Ｄｖ（０．１）を有する、項目３８から５７のいずれか一項に記載の架橋カリウム結合ポリマー。
（項目６１）
前記粒子が、約６μｍ〜約２３μｍの平均粒径Ｄｖ（０．１）を有する、項目３８から５７および６０のいずれか一項に記載の架橋カリウム結合ポリマー。
（項目６２）
Ｄｖ（０．９）：Ｄｖ（０．５）の比が約２またはそれ未満であり、Ｄｖ（０．５）：Ｄｖ（０．１）の比が約５またはそれ未満である、項目３８から６１のいずれか一項に記載の架橋カリウム結合ポリマー。
（項目６３）
Ｄｖ（０．９）：Ｄｖ（０．５）の比およびＤｖ（０．５）：Ｄｖ（０．１）の比が、それぞれ独立に、約２またはそれ未満である、項目３８から６２のいずれか一項に記載の架橋カリウム結合ポリマー。
（項目６４）
１グラムのカリウム結合ポリマー当たり約１ｍＥｑ〜約４ｍＥｑのカリウム交換能力を有する、項目３８から６３のいずれか一項に記載の架橋カリウム結合ポリマー。
（項目６５）
３．５超の口あたりスコアを有する、項目３８から６４のいずれか一項に記載の架橋カリウム結合ポリマー。
（項目６６）
４．５超の口あたりスコアを有する、項目３８から６５のいずれか一項に記載の架橋カリウム結合ポリマー。
（項目６７）
５．０超の口あたりスコアを有する、項目３８から６６のいずれか一項に記載の架橋カリウム結合ポリマー。
（項目６８）
式（Ｉ）の構造：
【化２６】
2018505262.tif 000004
［式中、
各Ｒ１は、Ｈ、置換または非置換（Ｃ１〜Ｃ６）アルキル、置換または非置換（Ｃ６〜Ｃ１８）アリール、−Ｓ（Ｏ）２ＯＨ、−ＯＳ（Ｏ）２ＯＨ、−Ｃ（Ｏ）ＯＨ、−ＰＯ（ＯＨ）２、−ＯＰ（ＯＨ）３、および−ＮＨＳ（Ｏ）２ＯＨからなる群から独立に選択され、
各Ｒ２は、Ｈ、置換または非置換（Ｃ１〜Ｃ６）アルキル、置換または非置換（Ｃ６〜Ｃ１８）アリール、−Ｓ（Ｏ）２ＯＨ、−ＯＳ（Ｏ）２ＯＨ、−Ｃ（Ｏ）ＯＨ、−ＰＯ（ＯＨ）２、−ＯＰ（ＯＨ）３、および−ＮＨＳ（Ｏ）２ＯＨからなる群から独立に選択され、
各Ｒ３は、Ｈ、ハロゲン、置換または非置換（Ｃ１〜Ｃ６）アルキル、置換または非置換（Ｃ６〜Ｃ１８）アリール、−Ｓ（Ｏ）２ＯＨ、−ＯＳ（Ｏ）２ＯＨ、−Ｃ（Ｏ）ＯＨ、−ＰＯ（ＯＨ）２、−ＯＰ（ＯＨ）３、および−ＮＨＳ（Ｏ）２ＯＨからなる群から独立に選択され、
各Ｘは、非存在であるか、または置換もしくは非置換（Ｃ１〜Ｃ６）アルキルおよび置換もしくは非置換（Ｃ６〜Ｃ１８）アリールからなる群から独立に選択され、
各Ｙは、置換または非置換（Ｃ１〜Ｃ６）アルキルおよび置換または非置換（Ｃ６〜Ｃ１８）アリールからなる群から独立に選択され、
ｍ対ｎのモル比は、約１２０：１〜約４０：１である］
を有する架橋カリウム結合ポリマーのカルシウム塩または薬学的に許容されるその塩であって、
前記架橋カリウム結合ポリマーは、約２５μｍ〜約１２５μｍの中位径を有する実質的に球状の粒子を含み、前記架橋カリウム結合ポリマーは、約１．８％の架橋によって特徴付けられ、ここで、約という用語は±１０％を意味する、架橋カリウム結合ポリマーのカルシウム塩または薬学的に許容されるその塩。
（項目６９）
ｍ対ｎの比が、約７０：１〜約５０：１である、項目６８に記載の架橋カリウム結合ポリマー。
（項目７０）
ｍ対ｎの比が、約７０：１〜約６０：１である、項目６８または６９に記載の架橋カリウム結合ポリマー。
（項目７１）
ｍ対ｎの比が、約６８：１である、項目６８から７０のいずれか一項に記載の架橋カリウム結合ポリマー。
（項目７２）
Ｙが、フェニルである、項目６８から７１のいずれか一項に記載の架橋カリウム結合ポリマー。
（項目７３）
Ｘが、非存在またはフェニルである、項目６８から７２のいずれか一項に記載の架橋カリウム結合ポリマー。
（項目７４）
ＸＲ１が、Ｙで置換されている炭素原子に結合しているとき、Ｘが、非存在であり、Ｒ１が、Ｈである、項目６８から７３のいずれか一項に記載の架橋カリウム結合ポリマー。
（項目７５）
Ｒ３が、Ｈである、項目６８から７４のいずれか一項に記載の架橋カリウム結合ポリマー。
（項目７６）
Ｒ１およびＲ２が、それぞれ独立に、Ｈまたは−Ｓ（Ｏ）２ＯＨである、項目６８から７３および７５のいずれか一項に記載の架橋カリウム結合ポリマー。
（項目７７）
１グラムのポリマー当たり約３グラムの水〜１グラムのポリマー当たり約８グラムの水の水中膨潤率によって特徴付けられる、項目６８から７６のいずれか一項に記載の架橋カリウム結合ポリマー。
（項目７８）
１グラムのポリマー当たり約３グラムの水〜１グラムのポリマー当たり約４．５グラムの水の水中膨潤率によって特徴付けられる、項目６８から７７のいずれか一項に記載の架橋カリウム結合ポリマー。
（項目７９）
１グラムのポリマー当たり約４．３グラムの水の水中膨潤率によって特徴付けられる、項目６８から７８のいずれか一項に記載の架橋カリウム結合ポリマー。
（項目８０）
前記粒子が、約８０μｍ〜約１３０μｍの平均粒径Ｄｖ（０．９）を有する、項目６８から７９のいずれか一項に記載の架橋カリウム結合ポリマー。
（項目８１）
前記粒子が、約９０μｍ〜約１２０μｍの平均粒径Ｄｖ（０．９）を有する、項目６８から８０のいずれか一項に記載の架橋カリウム結合ポリマー。
（項目８２）
前記粒子が、約６０μｍ〜約９０μｍの平均粒径Ｄｖ（０．５）を有する、項目６８から８１のいずれか一項に記載の架橋カリウム結合ポリマー。
（項目８３）
前記粒子が、約７０μｍ〜約８０μｍの平均粒径Ｄｖ（０．５）を有する、項目６８から８２のいずれか一項に記載の架橋カリウム結合ポリマー。
（項目８４）
前記粒子が、約２０μｍ〜約７０μｍの平均粒径Ｄｖ（０．１）を有する、項目６８から８３のいずれか一項に記載の架橋カリウム結合ポリマー。
（項目８５）
前記粒子が、約３０μｍ〜約６０μｍの平均粒径Ｄｖ（０．１）を有する、項目６８から８４のいずれか一項に記載の架橋カリウム結合ポリマー。
（項目８６）
Ｄｖ（０．９）：Ｄｖ（０．５）の比が、約２またはそれ未満であり、Ｄｖ（０．５）：Ｄｖ（０．１）の比が、約５またはそれ未満である、項目６８から８５のいずれか一項に記載の架橋カリウム結合ポリマー。
（項目８７）
Ｄｖ（０．９）：Ｄｖ（０．５）の比およびＤｖ（０．５）：Ｄｖ（０．１）の比が、それぞれ独立に、約２またはそれ未満である、項目６８から８６のいずれか一項に記載の架橋カリウム結合ポリマー。
（項目８８）
１グラムのカリウム結合ポリマー当たり約１ｍＥｑ〜約４ｍＥｑのカリウム交換能力を有する、項目６８から８７のいずれか一項に記載の架橋カリウム結合ポリマー。
（項目８９）
３．５超の口あたりスコアを有する、項目６８から８８のいずれか一項に記載の架橋カリウム結合ポリマー。
（項目９０）
４．５超の口あたりスコアを有する、項目６８から８９のいずれか一項に記載の架橋カリウム結合ポリマー。
（項目９１）
５．０超の口あたりスコアを有する、項目６８から９０のいずれか一項に記載の架橋カリウム結合ポリマー。
（項目９２）
式（Ｉ）の構造：
【化２７】
2018505262.tif 000005
［式中、
各Ｒ１は、Ｈ、置換または非置換（Ｃ１〜Ｃ６）アルキル、置換または非置換（Ｃ６〜Ｃ１８）アリール、−Ｓ（Ｏ）２ＯＨ、−ＯＳ（Ｏ）２ＯＨ、−Ｃ（Ｏ）ＯＨ、−ＰＯ（ＯＨ）２、−ＯＰ（ＯＨ）３、および−ＮＨＳ（Ｏ）２ＯＨからなる群から独立に選択され、
各Ｒ２は、Ｈ、置換または非置換（Ｃ１〜Ｃ６）アルキル、置換または非置換（Ｃ６〜Ｃ１８）アリール、−Ｓ（Ｏ）２ＯＨ、−ＯＳ（Ｏ）２ＯＨ、−Ｃ（Ｏ）ＯＨ、−ＰＯ（ＯＨ）２、−ＯＰ（ＯＨ）３、および−ＮＨＳ（Ｏ）２ＯＨからなる群から独立に選択され、
各Ｒ３は、Ｈ、ハロゲン、置換または非置換（Ｃ１〜Ｃ６）アルキル、置換または非置換（Ｃ６〜Ｃ１８）アリール、−Ｓ（Ｏ）２ＯＨ、−ＯＳ（Ｏ）２ＯＨ、−Ｃ（Ｏ）ＯＨ、−ＰＯ（ＯＨ）２、−ＯＰ（ＯＨ）３、および−ＮＨＳ（Ｏ）２ＯＨからなる群から独立に選択され、
各Ｘは、非存在であるか、または置換もしくは非置換（Ｃ１〜Ｃ６）アルキルおよび置換もしくは非置換（Ｃ６〜Ｃ１８）アリールからなる群から独立に選択され、
各Ｙは、置換または非置換（Ｃ１〜Ｃ６）アルキルおよび置換または非置換（Ｃ６〜Ｃ１８）アリールからなる群から独立に選択され、
ｍ対ｎのモル比は、約１２０：１〜約４０：１である］
を有する架橋カリウム結合ポリマーのカルシウム塩または薬学的に許容されるその塩であって、
前記架橋カリウム結合ポリマーは、約５μｍ〜約７０μｍの中位径を有する実質的に球状の粒子を含み、前記架橋カリウム結合ポリマーは、約１．８％の架橋によって特徴付けられ、ここで、約という用語は±１０％を意味する、架橋カリウム結合ポリマーのカルシウム塩または薬学的に許容されるその塩。
（項目９３）
ｍ対ｎの比が、約７０：１〜約５０：１である、項目９２に記載の架橋カリウム結合ポリマー。
（項目９４）
ｍ対ｎの比が、約７０：１〜約６０：１である、項目９２または９３に記載の架橋カリウム結合ポリマー。
（項目９５）
ｍ対ｎの比が、約６８：１である、項目９２から９４のいずれか一項に記載の架橋カリウム結合ポリマー。
（項目９６）
Ｙが、フェニルである、項目９２から９５のいずれか一項に記載の架橋カリウム結合ポリマー。
（項目９７）
Ｘが、非存在またはフェニルである、項目９２から９６のいずれか一項に記載の架橋カリウム結合ポリマー。
（項目９８）
ＸＲ１が、Ｙで置換されている炭素原子に結合しているとき、Ｘが、非存在であり、Ｒ１が、Ｈである、項目９２から９７のいずれか一項に記載の架橋カリウム結合ポリマー。
（項目９９）
Ｒ３が、Ｈである、項目９２から９８のいずれか一項に記載の架橋カリウム結合ポリマー。
（項目１００）
Ｒ１およびＲ２が、それぞれ独立に、Ｈまたは−Ｓ（Ｏ）２ＯＨである、項目９２から９７および９９のいずれか一項に記載の架橋カリウム結合ポリマー。
（項目１０１）
１グラムのポリマー当たり約３グラムの水〜１グラムのポリマー当たり約８グラムの水の水中膨潤率によって特徴付けられる、項目９２から１００のいずれか一項に記載の架橋カリウム結合ポリマー。
（項目１０２）
１グラムのポリマー当たり約３グラムの水〜１グラムのポリマー当たり約４．５グラムの水の水中膨潤率によって特徴付けられる、項目９２から１０１のいずれか一項に記載の架橋カリウム結合ポリマー。
（項目１０３）
１グラムのポリマー当たり約４．３グラムの水の水中膨潤率によって特徴付けられる、項目９２から１０２のいずれか一項に記載の架橋カリウム結合ポリマー。
（項目１０４）
前記粒子が、約４０μｍ〜約７０μｍの平均粒径Ｄｖ（０．９）を有する、項目９２から１０３のいずれか一項に記載の架橋カリウム結合ポリマー。
（項目１０５）
前記粒子が、約５０μｍ〜約６０μｍの平均粒径Ｄｖ（０．９）を有する、項目９２から１０４のいずれか一項に記載の架橋カリウム結合ポリマー。
（項目１０６）
前記粒子が、約２０μｍ〜約５０μｍの平均粒径Ｄｖ（０．５）を有する、項目９２から１０５のいずれか一項に記載の架橋カリウム結合ポリマー。
（項目１０７）
前記粒子が、約３０μｍ〜約４０μｍの平均粒径Ｄｖ（０．５）を有する、項目９２から１０６のいずれか一項に記載の架橋カリウム結合ポリマー。
（項目１０８）
前記粒子が、約５μｍ〜約２５μｍの平均粒径Ｄｖ（０．１）を有する、項目９２から１０７のいずれか一項に記載の架橋カリウム結合ポリマー。
（項目１０９）
前記粒子が、約６μｍ〜約２３μｍの平均粒径Ｄｖ（０．１）を有する、項目９２から１０８のいずれか一項に記載の架橋カリウム結合ポリマー。
（項目１１０）
Ｄｖ（０．９）：Ｄｖ（０．５）の比が、約２またはそれ未満であり、Ｄｖ（０．５）：Ｄｖ（０．１）の比が、約５またはそれ未満である、項目９２から１０９のいずれか一項に記載の架橋カリウム結合ポリマー。
（項目１１１）
Ｄｖ（０．９）：Ｄｖ（０．５）の比およびＤｖ（０．５）：Ｄｖ（０．１）の比が、それぞれ独立に、約２またはそれ未満である、項目９２から１１０のいずれか一項に記載の架橋カリウム結合ポリマー。
（項目１１２）
１グラムのカリウム結合ポリマー当たり約１ｍＥｑ〜約４ｍＥｑのカリウム交換能力を有する、項目９２から１１１のいずれか一項に記載の架橋カリウム結合ポリマー。
（項目１１３）
３．５超の口あたりスコアを有する、項目９２から１１２のいずれか一項に記載の架橋カリウム結合ポリマー。
（項目１１４）
４．５超の口あたりスコアを有する、項目９２から１１３のいずれか一項に記載の架橋カリウム結合ポリマー。
（項目１１５）
５．０超の口あたりスコアを有する、項目９２から１１４のいずれか一項に記載の架橋カリウム結合ポリマー。
（項目１１６）
式（Ｉ）の構造：
【化２８】
2018505262.tif 000006
［式中、
各Ｒ１は、Ｈ、置換または非置換（Ｃ１〜Ｃ６）アルキル、置換または非置換（Ｃ６〜Ｃ１８）アリール、−Ｓ（Ｏ）２ＯＨ、−ＯＳ（Ｏ）２ＯＨ、−Ｃ（Ｏ）ＯＨ、−ＰＯ（ＯＨ）２、−ＯＰ（ＯＨ）３、および−ＮＨＳ（Ｏ）２ＯＨからなる群から独立に選択され、
各Ｒ２は、Ｈ、置換または非置換（Ｃ１〜Ｃ６）アルキル、置換または非置換（Ｃ６〜Ｃ１８）アリール、−Ｓ（Ｏ）２ＯＨ、−ＯＳ（Ｏ）２ＯＨ、−Ｃ（Ｏ）ＯＨ、−ＰＯ（ＯＨ）２、−ＯＰ（ＯＨ）３、および−ＮＨＳ（Ｏ）２ＯＨからなる群から独立に選択され、
各Ｒ３は、Ｈ、ハロゲン、置換または非置換（Ｃ１〜Ｃ６）アルキル、置換または非置換（Ｃ６〜Ｃ１８）アリール、−Ｓ（Ｏ）２ＯＨ、−ＯＳ（Ｏ）２ＯＨ、−Ｃ（Ｏ）ＯＨ、−ＰＯ（ＯＨ）２、−ＯＰ（ＯＨ）３、および−ＮＨＳ（Ｏ）２ＯＨからなる群から独立に選択され、
各Ｘは、非存在であるか、または置換もしくは非置換（Ｃ１〜Ｃ６）アルキルおよび置換もしくは非置換（Ｃ６〜Ｃ１８）アリールからなる群から独立に選択され、
各Ｙは、置換または非置換（Ｃ１〜Ｃ６）アルキルおよび置換または非置換（Ｃ６〜Ｃ１８）アリールからなる群から独立に選択され、
ｍ対ｎのモル比は、約１２０：１〜約４０：１である］
を有する架橋カリウム結合ポリマーのカルシウム塩または薬学的に許容されるその塩であって、
前記架橋カリウム結合ポリマーは、約２０μｍ〜約１３０μｍの中位径を有する実質的に球状の粒子を含み、前記カリウム結合ポリマーは、３．５超の口あたりスコアを有し、前記架橋カリウム結合ポリマーは、約１．８％の架橋によって特徴付けられ、ここで、約という用語は±１０％を意味する、架橋カリウム結合ポリマーのカルシウム塩または薬学的に許容されるその塩。
（項目１１７）
ｍ対ｎの比が、約７０：１〜約５０：１である、項目１１６に記載の架橋カリウム結合ポリマー。
（項目１１８）
ｍ対ｎの比が、約７０：１〜約６０：１である、項目１１６または１１７に記載の架橋カリウム結合ポリマー。
（項目１１９）
ｍ対ｎの比が、約６８：１である、項目１１６から１１８のいずれか一項に記載の架橋カリウム結合ポリマー。
（項目１２０）
Ｙが、フェニルである、項目１１６から１１９のいずれか一項に記載の架橋カリウム結合ポリマー。
（項目１２１）
Ｘが、非存在またはフェニルである、項目１１６から１２０のいずれか一項に記載の架橋カリウム結合ポリマー。
（項目１２２）
ＸＲ１が、Ｙで置換されている炭素原子に結合しているとき、Ｘが、非存在であり、Ｒ１が、Ｈである、項目１１６から１２１のいずれか一項に記載の架橋カリウム結合ポリマー。
（項目１２３）
Ｒ３が、Ｈである、項目１１６から１２２のいずれか一項に記載の架橋カリウム結合ポリマー。
（項目１２４）
Ｒ１およびＲ２が、それぞれ独立に、Ｈまたは−Ｓ（Ｏ）２ＯＨである、項目１１６から１２１および１２３のいずれか一項に記載の架橋カリウム結合ポリマー。
（項目１２５）
１グラムのポリマー当たり約３グラムの水〜１グラムのポリマー当たり約８グラムの水の水中膨潤率によって特徴付けられる、項目１１６から１２４のいずれか一項に記載の架橋カリウム結合ポリマー。
（項目１２６）
１グラムのポリマー当たり約３グラムの水〜１グラムのポリマー当たり約４．５グラムの水の水中膨潤率によって特徴付けられる、項目１１６から１２５のいずれか一項に記載の架橋カリウム結合ポリマー。
（項目１２７）
１グラムのポリマー当たり約４．３グラムの水の水中膨潤率によって特徴付けられる、項目１１６から１２６のいずれか一項に記載の架橋カリウム結合ポリマー。
（項目１２８）
前記粒子が、約８０μｍ〜約１３０μｍの平均粒径Ｄｖ（０．９）を有する、項目１１６から１２７のいずれか一項に記載の架橋カリウム結合ポリマー。
（項目１２９）
前記粒子が、約９０μｍ〜約１２０μｍの平均粒径Ｄｖ（０．９）を有する、項目１１６から１２８のいずれか一項に記載の架橋カリウム結合ポリマー。
（項目１３０）
前記粒子が、約６０μｍ〜約９０μｍの平均粒径Ｄｖ（０．５）を有する、項目１１６から１２９のいずれか一項に記載の架橋カリウム結合ポリマー。
（項目１３１）
前記粒子が、約７０μｍ〜約８０μｍの平均粒径Ｄｖ（０．５）を有する、項目１１６から１３０のいずれか一項に記載の架橋カリウム結合ポリマー。
（項目１３２）
前記粒子が、約２０μｍ〜約７０μｍの平均粒径Ｄｖ（０．１）を有する、項目１１６から１３１のいずれか一項に記載の架橋カリウム結合ポリマー。
（項目１３３）
前記粒子が、約３０μｍ〜約６０μｍの平均粒径Ｄｖ（０．１）を有する、項目１１６から１３２のいずれか一項に記載の架橋カリウム結合ポリマー。
（項目１３４）
Ｄｖ（０．９）：Ｄｖ（０．５）の比が、約２またはそれ未満であり、Ｄｖ（０．５）：Ｄｖ（０．１）の比が、約５またはそれ未満である、項目１１６から１３３のいずれか一項に記載の架橋カリウム結合ポリマー。
（項目１３５）
Ｄｖ（０．９）：Ｄｖ（０．５）の比およびＤｖ（０．５）：Ｄｖ（０．１）の比が、それぞれ独立に、約２またはそれ未満である、項目１１６から１３４のいずれか一項に記載の架橋カリウム結合ポリマー。
（項目１３６）
１グラムのカリウム結合ポリマー当たり約１ｍＥｑ〜約４ｍＥｑのカリウム交換能力を有する、項目１１６から１３５のいずれか一項に記載の架橋カリウム結合ポリマー。
（項目１３７）
４．５超の口あたりスコアを有する、項目１１６から１３６のいずれか一項に記載の架橋カリウム結合ポリマー。
（項目１３８）
５．０超の口あたりスコアを有する、項目１１６から１３７のいずれか一項に記載の架橋カリウム結合ポリマー。
（項目１３９）
式（Ｉ）の構造：
【化２９】
2018505262.tif 000007
［式中、
各Ｒ１は、Ｈ、置換または非置換（Ｃ１〜Ｃ６）アルキル、置換または非置換（Ｃ６〜Ｃ１８）アリール、−Ｓ（Ｏ）２ＯＨ、−ＯＳ（Ｏ）２ＯＨ、−Ｃ（Ｏ）ＯＨ、−ＰＯ（ＯＨ）２、−ＯＰ（ＯＨ）３、および−ＮＨＳ（Ｏ）２ＯＨからなる群から独立に選択され、
各Ｒ２は、Ｈ、置換または非置換（Ｃ１〜Ｃ６）アルキル、置換または非置換（Ｃ６〜Ｃ１８）アリール、−Ｓ（Ｏ）２ＯＨ、−ＯＳ（Ｏ）２ＯＨ、−Ｃ（Ｏ）ＯＨ、−ＰＯ（ＯＨ）２、−ＯＰ（ＯＨ）３、および−ＮＨＳ（Ｏ）２ＯＨからなる群から独立に選択され、
各Ｒ３は、Ｈ、ハロゲン、置換または非置換（Ｃ１〜Ｃ６）アルキル、置換または非置換（Ｃ６〜Ｃ１８）アリール、−Ｓ（Ｏ）２ＯＨ、−ＯＳ（Ｏ）２ＯＨ、−Ｃ（Ｏ）ＯＨ、−ＰＯ（ＯＨ）２、−ＯＰ（ＯＨ）３、および−ＮＨＳ（Ｏ）２ＯＨからなる群から独立に選択され、
各Ｘは、非存在であるか、または置換もしくは非置換（Ｃ１〜Ｃ６）アルキルおよび置換もしくは非置換（Ｃ６〜Ｃ１８）アリールからなる群から独立に選択され、
各Ｙは、置換または非置換（Ｃ１〜Ｃ６）アルキルおよび置換または非置換（Ｃ６〜Ｃ１８）アリールからなる群から独立に選択され、
ｍ対ｎのモル比は、約１２０：１〜約４０：１である］
を有する架橋カリウム結合ポリマーのカルシウム塩または薬学的に許容されるその塩であって、
前記架橋カリウム結合ポリマーは、約５μｍ〜約７０μｍの中位径を有する実質的に球状の粒子を含み、前記カリウム結合ポリマーは、３．５超の口あたりスコアを有し、前記架橋カリウム結合ポリマーは、約１．８％の架橋によって特徴付けられ、ここで、約という用語は±１０％を意味する、架橋カリウム結合ポリマーのカルシウム塩または薬学的に許容されるその塩。
（項目１４０）
ｍ対ｎの比が、約７０：１〜約５０：１である、項目１３９に記載の架橋カリウム結合ポリマー。
（項目１４１）
ｍ対ｎの比が、約７０：１〜約６０：１である、項目１３９または１４０に記載の架橋カリウム結合ポリマー。
（項目１４２）
ｍ対ｎの比が、約６８：１である、項目１３９から１４１のいずれか一項に記載の架橋カリウム結合ポリマー。
（項目１４３）
Ｙが、フェニルである、項目１３９から１４２のいずれか一項に記載の架橋カリウム結合ポリマー。
（項目１４４）
Ｘが、非存在またはフェニルである、項目１３９から１４３のいずれか一項に記載の架橋カリウム結合ポリマー。
（項目１４５）
ＸＲ１が、Ｙで置換されている炭素原子に結合しているとき、Ｘが、非存在であり、Ｒ１が、Ｈである、項目１３９から１４４のいずれか一項に記載の架橋カリウム結合ポリマー。
（項目１４６）
Ｒ３が、Ｈである、項目１３９から１４５のいずれか一項に記載の架橋カリウム結合ポリマー。
（項目１４７）
Ｒ１およびＲ２が、それぞれ独立に、Ｈまたは−Ｓ（Ｏ）２ＯＨである、項目１３９から１４４および１４６のいずれか一項に記載の架橋カリウム結合ポリマー。
（項目１４８）
１グラムのポリマー当たり約３グラムの水〜１グラムのポリマー当たり約８グラムの水の水中膨潤率によって特徴付けられる、項目１３９から１４７のいずれか一項に記載の架橋カリウム結合ポリマー。
（項目１４９）
１グラムのポリマー当たり約３グラムの水〜１グラムのポリマー当たり約４．５グラムの水の水中膨潤率によって特徴付けられる、項目１３９から１４８のいずれか一項に記載の架橋カリウム結合ポリマー。
（項目１５０）
１グラムのポリマー当たり約４．３グラムの水の水中膨潤率によって特徴付けられる、項目１３９から１４９のいずれか一項に記載の架橋カリウム結合ポリマー。
（項目１５１）
前記粒子が、約４０μｍ〜約７０μｍの平均粒径Ｄｖ（０．９）を有する、項目１３９から１５０のいずれか一項に記載の架橋カリウム結合ポリマー。
（項目１５２）
前記粒子が、約５０μｍ〜約６０μｍの平均粒径Ｄｖ（０．９）を有する、項目１３９から１５１のいずれか一項に記載の架橋カリウム結合ポリマー。
（項目１５３）
前記粒子が、約２０μｍ〜約５０μｍの平均粒径Ｄｖ（０．５）を有する、項目１３９から１５２のいずれか一項に記載の架橋カリウム結合ポリマー。
（項目１５４）
前記粒子が、約３０μｍ〜約４０μｍの平均粒径Ｄｖ（０．５）を有する、項目１３９から１５３のいずれか一項に記載の架橋カリウム結合ポリマー。
（項目１５５）
前記粒子が、約５μｍ〜約２５μｍの平均粒径Ｄｖ（０．１）を有する、項目１３９から１５４のいずれか一項に記載の架橋カリウム結合ポリマー。
（項目１５６）
前記粒子が、約６μｍ〜約２３μｍの平均粒径Ｄｖ（０．１）を有する、項目１３９から１５５のいずれか一項に記載の架橋カリウム結合ポリマー。
（項目１５７）
Ｄｖ（０．９）：Ｄｖ（０．５）の比が、約２またはそれ未満であり、Ｄｖ（０．５）：Ｄｖ（０．１）の比が、約５またはそれ未満である、項目１３９から１５６のいずれか一項に記載の架橋カリウム結合ポリマー。
（項目１５８）
Ｄｖ（０．９）：Ｄｖ（０．５）の比およびＤｖ（０．５）：Ｄｖ（０．１）の比が、それぞれ独立に、約２またはそれ未満である、項目１３９から１５７のいずれか一項に記載の架橋カリウム結合ポリマー。
（項目１５９）
１グラムのカリウム結合ポリマー当たり約１ｍＥｑ〜約４ｍＥｑのカリウム交換能力を有する、項目１３９から１５８のいずれか一項に記載の架橋カリウム結合ポリマー。
（項目１６０）
４．０超の口あたりスコアを有する、項目１３９から１５９のいずれか一項に記載の架橋カリウム結合ポリマー。
（項目１６１）
４．５超の口あたりスコアを有する、項目１３９から１６０のいずれか一項に記載の架橋カリウム結合ポリマー。
（項目１６２）
５．０超の口あたりスコアを有する、項目１３９から１６１のいずれか一項に記載の架橋カリウム結合ポリマー。
（項目１６３）
式（Ｉ）の構造：
【化３０】
2018505262.tif 000008
［式中、
各Ｒ１は、Ｈ、−Ｓ（Ｏ）２ＯＨ、−ＯＳ（Ｏ）２ＯＨ、−Ｃ（Ｏ）ＯＨ、−ＰＯ（ＯＨ）２、−ＯＰ（ＯＨ）３、および−ＮＨＳ（Ｏ）２ＯＨからなる群から独立に選択され、各Ｒ２は、Ｈ、置換または非置換（Ｃ１〜Ｃ６）アルキル、置換または非置換（Ｃ６〜Ｃ１８）アリール、−Ｓ（Ｏ）２ＯＨ、−ＯＳ（Ｏ）２ＯＨ、−Ｃ（Ｏ）ＯＨ、−ＰＯ（ＯＨ）２、−ＯＰ（ＯＨ）３、および−ＮＨＳ（Ｏ）２ＯＨからなる群から独立に選択され、
各Ｒ３は、Ｈであり、
各Ｘは、非存在または置換もしくは非置換（Ｃ６〜Ｃ１８）アリールであり、
各Ｙは、置換または非置換（Ｃ１〜Ｃ６）アルキルおよび置換または非置換（Ｃ６〜Ｃ１８）アリールからなる群から独立に選択され、
ｍ対ｎのモル比は、約１２０：１〜約４０：１である］
を有する架橋カリウム結合ポリマーのカルシウム塩または薬学的に許容されるその塩であって、
前記架橋カリウム結合ポリマーは、約２０μｍ〜約１３０μｍの中位径を有する実質的に球状の粒子を含み、前記架橋カリウム結合ポリマーは、約１．８％の架橋によって特徴付けられ、ここで、約という用語は±１０％を意味する、架橋カリウム結合ポリマーのカルシウム塩または薬学的に許容されるその塩。
（項目１６４）
ｍ対ｎの比が、約７０：１〜約５０：１である、項目１６３に記載の架橋カリウム結合ポリマー。
（項目１６５）
ｍ対ｎの比が、約７０：１〜約６０：１である、項目１６３または１６４に記載の架橋カリウム結合ポリマー。
（項目１６６）
ｍ対ｎの比が、約６８：１である、項目１６３から１６５のいずれか一項に記載の架橋カリウム結合ポリマー。
（項目１６７）
Ｙが、フェニルである、項目１６３から１６６のいずれか一項に記載の架橋カリウム結合ポリマー。
（項目１６８）
Ｘが、非存在またはフェニルである、項目１６３から１６７のいずれか一項に記載の架橋カリウム結合ポリマー。
（項目１６９）
ＸＲ１が、Ｙで置換されている炭素原子に結合しているとき、Ｘが、非存在であり、Ｒ１が、Ｈである、項目１６３から１６８のいずれか一項に記載の架橋カリウム結合ポリマー。
（項目１７０）
Ｒ１およびＲ２が、それぞれ独立に、Ｈまたは−Ｓ（Ｏ）２ＯＨである、項目１６３から１６８のいずれか一項に記載の架橋カリウム結合ポリマー。
（項目１７１）
１グラムのポリマー当たり約３グラムの水〜１グラムのポリマー当たり約８グラムの水の水中膨潤率によって特徴付けられる、項目１６３から１７０のいずれか一項に記載の架橋カリウム結合ポリマー。
（項目１７２）
１グラムのポリマー当たり約３グラムの水〜１グラムのポリマー当たり約４．５グラムの水の水中膨潤率によって特徴付けられる、項目１６３から１７１のいずれか一項に記載の架橋カリウム結合ポリマー。
（項目１７３）
１グラムのポリマー当たり約４．３グラムの水の水中膨潤率によって特徴付けられる、項目１６３から１７２のいずれか一項に記載の架橋カリウム結合ポリマー。
（項目１７４）
前記粒子が、約８０μｍ〜約１３０μｍの平均粒径Ｄｖ（０．９）を有する、項目１６３から１７３のいずれか一項に記載の架橋カリウム結合ポリマー。
（項目１７５）
前記粒子が、約９０μｍ〜約１２０μｍの平均粒径Ｄｖ（０．９）を有する、項目１６３から１７４のいずれか一項に記載の架橋カリウム結合ポリマー。
（項目１７６）
前記粒子が、約６０μｍ〜約９０μｍの平均粒径Ｄｖ（０．５）を有する、項目１６３から１７５のいずれか一項に記載の架橋カリウム結合ポリマー。
（項目１７７）
前記粒子が、約７０μｍ〜約８０μｍの平均粒径Ｄｖ（０．５）を有する、項目１６３から１７６のいずれか一項に記載の架橋カリウム結合ポリマー。
（項目１７８）
前記粒子が、約２０μｍ〜約７０μｍの平均粒径Ｄｖ（０．１）を有する、項目１６３から１７７のいずれか一項に記載の架橋カリウム結合ポリマー。
（項目１７９）
前記粒子が、約３０μｍ〜約６０μｍの平均粒径Ｄｖ（０．１）を有する、項目１６３から１７８のいずれか一項に記載の架橋カリウム結合ポリマー。
（項目１８０）
Ｄｖ（０．９）：Ｄｖ（０．５）の比が、約２またはそれ未満であり、Ｄｖ（０．５）：Ｄｖ（０．１）の比が、約５またはそれ未満である、項目１６３から１７９のいずれか一項に記載の架橋カリウム結合ポリマー。
（項目１８１）
Ｄｖ（０．９）：Ｄｖ（０．５）の比およびＤｖ（０．５）：Ｄｖ（０．１）の比が、それぞれ独立に、約２またはそれ未満である、項目１６３から１８０のいずれか一項に記載の架橋カリウム結合ポリマー。
（項目１８２）
１グラムのカリウム結合ポリマー当たり約１ｍＥｑ〜約４ｍＥｑのカリウム交換能力を有する、項目１６３から１８１のいずれか一項に記載の架橋カリウム結合ポリマー。
（項目１８３）
３．５超の口あたりスコアを有する、項目１６３から１８２のいずれか一項に記載の架橋カリウム結合ポリマー。
（項目１８４）
４．５超の口あたりスコアを有する、項目１６３から１８３のいずれか一項に記載の架橋カリウム結合ポリマー。
（項目１８５）
５．０超の口あたりスコアを有する、項目１６３から１８４のいずれか一項に記載の架橋カリウム結合ポリマー。
（項目１８６）
式（Ｉ）の構造：
【化３１】
2018505262.tif 000009
［式中、
各Ｒ１は、Ｈ、−Ｓ（Ｏ）２ＯＨ、−ＯＳ（Ｏ）２ＯＨ、−Ｃ（Ｏ）ＯＨ、−ＰＯ（ＯＨ）２、−ＯＰ（ＯＨ）３、および−ＮＨＳ（Ｏ）２ＯＨからなる群から独立に選択され、各Ｒ２は、Ｈ、置換または非置換（Ｃ１〜Ｃ６）アルキル、置換または非置換（Ｃ６〜Ｃ１８）アリール、−Ｓ（Ｏ）２ＯＨ、−ＯＳ（Ｏ）２ＯＨ、−Ｃ（Ｏ）ＯＨ、−ＰＯ（ＯＨ）２、−ＯＰ（ＯＨ）３、および−ＮＨＳ（Ｏ）２ＯＨからなる群から独立に選択され、
各Ｒ３は、Ｈであり、
各Ｘは、非存在または置換もしくは非置換（Ｃ６〜Ｃ１８）アリールであり、
各Ｙは、置換または非置換（Ｃ１〜Ｃ６）アルキルおよび置換または非置換（Ｃ６〜Ｃ１８）アリールからなる群から独立に選択され、
ｍ対ｎのモル比は、約１２０：１〜約４０：１である］
を有する架橋カリウム結合ポリマーのカルシウム塩または薬学的に許容されるその塩であって、
前記架橋カリウム結合ポリマーは、約５μｍ〜約７０μｍの中位径を有する実質的に球状の粒子を含み、前記架橋カリウム結合ポリマーは、約１．８％の架橋によって特徴付けられ、ここで、約という用語は±１０％を意味する、架橋カリウム結合ポリマーのカルシウム塩または薬学的に許容されるその塩。
（項目１８７）
ｍ対ｎの比が、約７０：１〜約５０：１である、項目１８６に記載の架橋カリウム結合ポリマー。
（項目１８８）
ｍ対ｎの比が、約７０：１〜約６０：１である、項目１８６または１８７に記載の架橋カリウム結合ポリマー。
（項目１８９）
ｍ対ｎの比が、約６８：１である、項目１８６から１８８のいずれか一項に記載の架橋カリウム結合ポリマー。
（項目１９０）
Ｙが、フェニルである、項目１８６から１８９のいずれか一項に記載の架橋カリウム結合ポリマー。
（項目１９１）
Ｘが、非存在またはフェニルである、項目１８６から１９０のいずれか一項に記載の架橋カリウム結合ポリマー。
（項目１９２）
ＸＲ１が、Ｙで置換されている炭素原子に結合しているとき、Ｘが、非存在であり、Ｒ１が、Ｈである、項目１８６から１９１のいずれか一項に記載の架橋カリウム結合ポリマー。
（項目１９３）
Ｒ１およびＲ２が、それぞれ独立に、Ｈまたは−Ｓ（Ｏ）２ＯＨである、項目１８６から１９１のいずれか一項に記載の架橋カリウム結合ポリマー。
（項目１９４）
１グラムのポリマー当たり約３グラムの水〜１グラムのポリマー当たり約８グラムの水の水中膨潤率によって特徴付けられる、項目１８６から１９３のいずれか一項に記載の架橋カリウム結合ポリマー。
（項目１９５）
１グラムのポリマー当たり約３グラムの水〜１グラムのポリマー当たり約４．５グラムの水の水中膨潤率によって特徴付けられる、項目１８６から１９４のいずれか一項に記載の架橋カリウム結合ポリマー。
（項目１９６）
１グラムのポリマー当たり約４．３グラムの水の水中膨潤率によって特徴付けられる、項目１８６から１９５のいずれか一項に記載の架橋カリウム結合ポリマー。
（項目１９７）
前記粒子が、約４０μｍ〜約７０μｍの平均粒径Ｄｖ（０．９）を有する、項目１８６から１９６のいずれか一項に記載の架橋カリウム結合ポリマー。
（項目１９８）
前記粒子が、約５０μｍ〜約６０μｍの平均粒径Ｄｖ（０．９）を有する、項目１８６から１９７のいずれか一項に記載の架橋カリウム結合ポリマー。
（項目１９９）
前記粒子が、約２０μｍ〜約５０μｍの平均粒径Ｄｖ（０．５）を有する、項目１８６から１９８のいずれか一項に記載の架橋カリウム結合ポリマー。
（項目２００）
前記粒子が、約３０μｍ〜約４０μｍの平均粒径Ｄｖ（０．５）を有する、項目１８６から１９９のいずれか一項に記載の架橋カリウム結合ポリマー。
（項目２０１）
前記粒子が、約５μｍ〜約２５μｍの平均粒径Ｄｖ（０．１）を有する、項目１８６から２００のいずれか一項に記載の架橋カリウム結合ポリマー。
（項目２０２）
前記粒子が、約６μｍ〜約２３μｍの平均粒径Ｄｖ（０．１）を有する、項目１８６から２０１のいずれか一項に記載の架橋カリウム結合ポリマー。
（項目２０３）
Ｄｖ（０．９）：Ｄｖ（０．５）の比が、約２またはそれ未満であり、Ｄｖ（０．５）：Ｄｖ（０．１）の比が、約５またはそれ未満である、項目１８６から２０２のいずれか一項に記載の架橋カリウム結合ポリマー。
（項目２０４）
Ｄｖ（０．９）：Ｄｖ（０．５）の比およびＤｖ（０．５）：Ｄｖ（０．１）の比が、それぞれ独立に、約２またはそれ未満である、項目１８６から２０３のいずれか一項に記載の架橋カリウム結合ポリマー。
（項目２０５）
１グラムのカリウム結合ポリマー当たり約１ｍＥｑ〜約４ｍＥｑのカリウム交換能力を有する、項目１８６から２０４のいずれか一項に記載の架橋カリウム結合ポリマー。
（項目２０６）
３．５超の口あたりスコアを有する、項目１８６から２０５のいずれか一項に記載の架橋カリウム結合ポリマー。
（項目２０７）
４．５超の口あたりスコアを有する、項目１８６から２０６のいずれか一項に記載の架橋カリウム結合ポリマー。
（項目２０８）
５．０超の口あたりスコアを有する、項目１８６から２０７のいずれか一項に記載の架橋カリウム結合ポリマー。
（項目２０９）
項目１から２０８のいずれか一項に記載の架橋カリウム結合ポリマー、および薬学的に許容される担体、賦形剤、または添加剤を含む医薬組成物。
（項目２１０）
１グラムのカリウム結合ポリマー当たり約１ｍＥｑ〜約４ｍＥｑのカリウム交換能力を有する架橋カリウム結合ポリマーのカルシウム塩、および薬学的に許容される担体、賦形剤、または添加剤を含む医薬組成物であって、前記カリウム結合ポリマーが、１グラムのポリマー当たり約３グラムの水〜１グラムのポリマー当たり約８グラムの水の水中膨潤率、および５％未満の架橋によって特徴付けられ、前記ポリマーは、実質的に球状の粒子を含み、実質的に内毒素非含有である、医薬組成物。
（項目２１１）
前記実質的に球状の粒子が、カルシウム塩形態であり水中で膨潤しているとき、約１μｍ〜約１３０μｍの中位径を有する、項目２１０に記載の組成物。
（項目２１２）
前記中位径が、約６０μｍ〜約９０μｍである、項目２１１に記載の組成物。
（項目２１３）
前記粒子が、約７０μｍ〜約８０μｍの中位径を有する、項目２１１または２１２に記載の組成物。
（項目２１４）
前記中位径が、約７５μｍである、項目２１１から２１３のいずれか一項に記載の組成物。
（項目２１５）
前記中位径が、約２０μｍ〜約５０μｍである、項目２１１または２１２に記載の組成物。
（項目２１６）
前記中位径が、約３０μｍ〜約４０μｍである、項目２１５に記載の組成物。
（項目２１７）
前記中位径が、約３５μｍである、項目２１５または２１６に記載の組成物。
（項目２１８）
前記カリウム結合ポリマーが、３％未満の架橋によって特徴付けられる、項目２１０から２１７のいずれか一項に記載の組成物。
（項目２１９）
前記カリウム結合ポリマーが、約１．８％の架橋によって特徴付けられ、ここで、約という用語が±２０％を意味する、項目２１０から２１８のいずれか一項に記載の組成物。
（項目２２０）
前記カリウム結合ポリマーが、約１．８％の架橋によって特徴付けられ、ここで、約という用語が±１０％を意味する、項目２１０から２１８のいずれか一項に記載の組成物。
（項目２２１）
前記カリウム結合ポリマーが、約１．８％の架橋によって特徴付けられ、ここで、約という用語が±５％を意味する、項目２１０から２１８のいずれか一項に記載の組成物。
（項目２２２）
前記カリウム結合ポリマーが、１．８％の架橋によって特徴付けられる、項目２１０から２１８のいずれか一項に記載の組成物。
（項目２２３）
前記カリウム結合ポリマーが、４．５超の口あたりスコアを有する、項目２１０から２２２のいずれか一項に記載の組成物。
（項目２２４）
前記カリウム結合ポリマーが、５．０超の口あたりスコアを有する、項目２１０から２２３のいずれか一項に記載の組成物。
（項目２２５）
１グラムのカリウム結合ポリマー当たり約１ｍＥｑ〜約４ｍＥｑのカリウム交換能力を有する架橋カリウム結合ポリマーのカルシウム塩、および薬学的に許容される担体、賦形剤、または添加剤を含む医薬組成物であって、前記カリウム結合ポリマーが、１グラムのポリマー当たり約３グラムの水〜１グラムのポリマー当たり約８グラムの水の水中膨潤率、および５％未満の架橋によって特徴付けられる、医薬組成物。
（項目２２６）
前記ポリマーが、実質的に球状の粒子を含む、項目２２５に記載の組成物。
（項目２２７）
前記実質的に球状の粒子が、カルシウム塩形態であり水中で膨潤しているとき、約１μｍ〜約１３０μｍの中位径を有する、項目２２６に記載の組成物。
（項目２２８）
前記中位径が、約６０μｍ〜約９０μｍである、項目２２７に記載の組成物。
（項目２２９）
前記粒子が、約７０μｍ〜約８０μｍの中位径を有する、項目２２７または２２８に記載の組成物。
（項目２３０）
前記中位径が、約７５μｍである、項目２２７から２２９のいずれか一項に記載の組成物。
（項目２３１）
前記中位径が、約２０μｍ〜約５０μｍである、項目２２７または２２８に記載の組成物。
（項目２３２）
前記中位径が、約３０μｍ〜約４０μｍである、項目２３１に記載の組成物。
（項目２３３）
前記中位径が、約３５μｍである、項目２３１または２３２に記載の組成物。
（項目２３４）
前記カリウム結合ポリマーが、３％未満の架橋によって特徴付けられる、項目２２５から２３３のいずれか一項に記載の組成物。
（項目２３５）
前記カリウム結合ポリマーが、約１．８％の架橋によって特徴付けられ、ここで、約という用語が±２０％を意味する、項目２２５から２３４のいずれか一項に記載の組成物。
（項目２３６）
前記カリウム結合ポリマーが、約１．８％の架橋によって特徴付けられ、ここで、約という用語が±１０％を意味する、項目２２５から２３４のいずれか一項に記載の組成物。
（項目２３７）
前記カリウム結合ポリマーが、約１．８％の架橋によって特徴付けられ、ここで、約という用語が±５％を意味する、項目２２５から２３４のいずれか一項に記載の組成物。
（項目２３８）
前記カリウム結合ポリマーが、１．８％の架橋によって特徴付けられる、項目２２５から２３４のいずれか一項に記載の組成物。
（項目２３９）
前記カリウム結合ポリマーが、４．５超の口あたりスコアを有する、項目２２５から２３８のいずれか一項に記載の組成物。
（項目２４０）
前記カリウム結合ポリマーが、５．０超の口あたりスコアを有する、項目２２５から２３９のいずれか一項に記載の組成物。
（項目２４１）
１グラムのカリウム結合ポリマー当たり約１ｍＥｑ〜約４ｍＥｑのカリウム交換能力を有する架橋カリウム結合ポリマーのカルシウム塩、および薬学的に許容される担体、賦形剤、または添加剤を含む医薬組成物であって、前記カリウム結合ポリマーが、５％未満の架橋、および１グラムのポリマー当たり約３グラムの水〜１グラムのポリマー当たり約８グラムの水の水中膨潤率によって特徴付けられる、医薬組成物。
（項目２４２）
前記ポリマーが、実質的に球状の粒子を含む、項目２４１に記載の組成物。
（項目２４３）
前記実質的に球状の粒子が、カルシウム塩形態であり水中で膨潤しているとき、約１μｍ〜約１３０μｍの中位径を有する、項目２４２に記載の組成物。
（項目２４４）
前記中位径が、約６０μｍ〜約９０μｍである、項目２４３に記載の組成物。
（項目２４５）
前記粒子が、約７０μｍ〜約８０μｍの中位径を有する、項目２４３または２４４に記載の組成物。
（項目２４６）
前記中位径が、約７５μｍである、項目２４３から２４５のいずれか一項に記載の組成物。
（項目２４７）
前記中位径が、約２０μｍ〜約５０μｍである、項目２４３または２４４に記載の組成物。
（項目２４８）
前記中位径が、約３０μｍ〜約４０μｍである、項目２４７に記載の組成物。
（項目２４９）
前記中位径が、約３５μｍである、項目２４７または２４８に記載の組成物。
（項目２５０）
前記カリウム結合ポリマーが、約１．８％の架橋によって特徴付けられ、ここで、約という用語が±１０％を意味する、項目２４１から２４９のいずれか一項に記載の組成物。
（項目２５１）
前記カリウム結合ポリマーが、４．５超の口あたりスコアを有する、項目２４１から２５０のいずれか一項に記載の組成物。
（項目２５２）
前記カリウム結合ポリマーが、５．０超の口あたりスコアを有する、項目２３１から２５１のいずれか一項に記載の組成物。
（項目２５３）
１グラムのカリウム結合ポリマー当たり約１ｍＥｑ〜約４ｍＥｑのカリウム交換能力を有する架橋カリウム結合ポリマーのカルシウム塩、および薬学的に許容される担体、賦形剤、または添加剤を含む医薬組成物であって、前記カリウム結合ポリマーが、５％未満の架橋によって特徴付けられ、前記粒子がカルシウム塩形態であり水中で膨潤しているとき、中位径が約１μｍ〜約１３０μｍである、医薬組成物。
（項目２５４）
前記ポリマーが、実質的に球状の粒子を含む、項目２５３に記載の組成物。
（項目２５５）
前記実質的に球状の粒子が、カルシウム塩形態であり水中で膨潤しているとき、約１μｍ〜約１２０μｍの中位径を有する、項目２５４に記載の組成物。
（項目２５６）
前記中位径が、約６０μｍ〜約９０μｍである、項目２５５に記載の組成物。
（項目２５７）
前記中位径が、約７０μｍ〜約８０μｍである、項目２５５または２５６に記載の組成物。
（項目２５８）
前記中位径が、約７５μｍである、項目２５５から２５７のいずれか一項に記載の組成物。
（項目２５９）
前記中位径が、約２０μｍ〜約５０μｍである、項目２５５または２５６に記載の組成物。
（項目２６０）
前記中位径が、約３０μｍ〜約４０μｍである、項目２５９に記載の組成物。
（項目２６１）
前記中位径が、約３５μｍである、項目２５９または２６０に記載の組成物。
（項目２６２）
前記カリウム結合ポリマーが、２％未満の架橋によって特徴付けられる、項目２５３から２６１のいずれか一項に記載の組成物。
（項目２６３）
前記カリウム結合ポリマーが、約１．８％の架橋によって特徴付けられ、ここで、約という用語が±１０％を意味する、項目２５３から２６２のいずれか一項に記載の組成物。
（項目２６４）
前記カリウム結合ポリマーが、４．５超の口あたりスコアを有する、項目２５３から２６３のいずれか一項に記載の組成物。
（項目２６５）
前記カリウム結合ポリマーが、５．０超の口あたりスコアを有する、項目２５３から２６４のいずれか一項に記載の組成物。
（項目２６６）
架橋カリウム結合ポリマーのカルシウム塩および薬学的に許容される担体、賦形剤、または添加剤を含む医薬組成物であって、前記架橋カリウム結合ポリマーが、５％未満の架橋によって特徴付けられ、前記粒子がカルシウム塩形態であり水中で膨潤しているとき、中位径が約１μｍ〜約１３０μｍである、医薬組成物。
（項目２６７）
一度膨潤すると、１グラムのポリマー当たり３〜５グラムの水を含む、項目２６６に記載の組成物。
（項目２６８）
前記ポリマーが、スチレンポリマーである、項目２１０から２６７のいずれか一項に記載の組成物。
（項目２６９）
前記ポリマーが、ジビニルベンゼンと架橋している、項目２１０から２６８のいずれか一項に記載の組成物。
（項目２７０）
前記ジビニルベンゼンが、ジビニルベンゼンスルホネートである、項目２６９に記載の組成物。
（項目２７１）
前記ポリマーが、架橋ポリスチレンスルホネートの塩である、項目２１０から２７０のいずれか一項に記載の組成物。
（項目２７２）
ホスフェート結合剤としてさらに実質的に活性である、項目２１０から２７１のいずれか一項に記載の組成物。
（項目２７３）
前記ポリマーが、対象において糞便のリン排出量を増加させる能力を有する、項目２７２に記載の組成物。
（項目２７４）
前記ポリマーが、対象において尿のリン排出量を減少させる能力を有する、項目２７２に記載の組成物。
（項目２７５）
高カリウム血症の臨床的徴候を示すか、または高カリウム血症を有することが疑われている患者の胃腸管からカリウムを除去する方法であって、架橋カリウム結合ポリマーのカルシウム塩、またはその塩を、前記患者に投与する工程を含み、前記カリウム結合ポリマーが、少なくとも１種のモノマーおよび１種の架橋剤を含み、前記架橋剤が前記カリウム結合ポリマーの約１モル％〜約３モル％を構成し、前記カリウム結合ポリマーが、５％未満の架橋によって特徴付けられる、方法。
（項目２７６）
前記少なくとも１種の架橋剤が、前記カリウム結合ポリマーの約１．５モル％〜約２．０モル％を構成する、項目２７５に記載の方法。
（項目２７７）
前記少なくとも１種の架橋剤が、前記カリウム結合ポリマーの約１．５モル％〜約１．６モル％を構成する、項目２７６に記載の方法。
（項目２７８）
前記少なくとも１種の架橋剤が、前記カリウム結合ポリマーの約１．５モル％を構成する、項目２７５に記載の方法。
（項目２７９）
前記少なくとも１種の架橋剤が、ジビニルベンゼンスルホネートである、項目２７５から２７８のいずれか一項に記載の方法。
（項目２８０）
前記少なくとも１種のモノマーが、スチレンスルホネートである、項目２７５から２７９のいずれか一項に記載の方法。
（項目２８１）
前記カリウム結合ポリマーが、架橋ポリスチレンスルホネートの塩である、項目２７５から２８０のいずれか一項に記載の方法。
（項目２８２）
前記カリウム結合ポリマーが、１グラムのポリマー当たり約３グラムの水〜１グラムのポリマー当たり４．５グラムの水の水中膨潤率によって特徴付けられる、項目２７５から２８１のいずれか一項に記載の方法。
（項目２８３）
前記粒子がカルシウム塩形態であり水中で膨潤しているとき、前記カリウム結合ポリマーが、約１μｍ〜約１２０μｍの中位径を有する実質的に球状の粒子をさらに含む、項目２７５から２８２のいずれか一項に記載の方法。
（項目２８４）
前記中位径が、約６０μｍ〜約９０μｍである、項目２８３に記載の方法。
（項目２８５）
前記中位径が、約７０μｍ〜約８０μｍである、項目２８３または２８４に記載の方法。
（項目２８６）
前記中位径が、約７５μｍである、項目２８３から２８５のいずれか一項に記載の方法。
（項目２８７）
前記中位径が、約２０μｍ〜約５０μｍである、項目２８３または２８４に記載の方法。
（項目２８８）
前記中位径が、約３０μｍ〜約４０μｍである、項目２８７に記載の方法。
（項目２８９）
前記中位径が、約３５μｍである、項目２８７または２８８に記載の方法。
（項目２９０）
Ｄｖ（０．９）：Ｄｖ（０．５）の比が、約２またはそれ未満であり、Ｄｖ（０．５）：Ｄｖ（０．１）の比が、約５またはそれ未満である、項目２７５から２８９のいずれか一項に記載の方法。
（項目２９１）
Ｄｖ（０．９）：Ｄｖ（０．５）の比およびＤｖ（０．５）：Ｄｖ（０．１）の比が、それぞれ独立に、約２またはそれ未満である、項目２７５から２９０のいずれか一項に記載の方法。
（項目２９２）
前記カリウム結合ポリマーが、１グラムのカリウム結合ポリマー当たり約１ｍＥｑ〜約４ｍＥｑのカリウム交換能力を有する、項目２７５から２９１のいずれか一項に記載の方法。
（項目２９３）
前記カリウム結合ポリマーが、２％未満の架橋によって特徴付けられる、項目２７５から２９２のいずれか一項に記載の方法。
（項目２９４）
前記カリウム結合ポリマーが、約１．８％の架橋によって特徴付けられ、ここで、約という用語が±１０％を意味する、項目２７５から２９２のいずれか一項に記載の方法。
（項目２９５）
前記患者が、高カリウム血症を経験している、項目２７５から２９４のいずれか一項に記載の方法。
（項目２９６）
前記患者が、ヒトである、項目２７５から２９５のいずれか一項に記載の方法。
（項目２９７）
高カリウム血症の臨床的徴候を示すか、または高カリウム血症を有することが疑われている患者の胃腸管からカリウムを除去する方法であって、架橋カリウム結合ポリマーのカルシウム塩、またはその塩を、前記患者に投与する工程を含み、前記カリウム結合ポリマーが、少なくとも１種のモノマーおよび１種の架橋剤を含み、前記カリウム結合ポリマーが、約１μｍ〜約２５μｍの中位径を有する実質的に球状の粒子を含み、前記架橋カリウム結合ポリマーが、５％未満の架橋によって特徴付けられる、方法。
（項目２９８）
前記中位径が、約１０μｍ〜約２０μｍである、項目２９７に記載の方法。
（項目２９９）
前記中位径が、約１５μｍである、項目２９７または２９８に記載の方法。
（項目３００）
Ｄｖ（０．９）：Ｄｖ（０．５）の比が、約２またはそれ未満であり、Ｄｖ（０．５）：Ｄｖ（０．１）の比が、約５またはそれ未満である、項目２９７から２９９のいずれか一項に記載の方法。
（項目３０１）
Ｄｖ（０．９）：Ｄｖ（０．５）の比およびＤｖ（０．５）：Ｄｖ（０．１）の比が、それぞれ独立に、約２またはそれ未満である、項目２９７から３００のいずれか一項に記載の方法。
（項目３０２）
前記少なくとも１種の架橋剤が、前記カリウム結合ポリマーの約１モル％〜約１１モル％を構成する、項目２９７から３０１のいずれか一項に記載の方法。
（項目３０３）
前記少なくとも１種の架橋剤が、前記カリウム結合ポリマーの約１モル％〜約７モル％を構成する、項目２９７から３０１のいずれか一項に記載の方法。
（項目３０４）
前記少なくとも１種の架橋剤が、前記カリウム結合ポリマーの約１モル％〜約３モル％を構成する、項目２９７から３０１のいずれか一項に記載の方法。
（項目３０５）
前記少なくとも１種の架橋剤が、前記カリウム結合ポリマーの約１．５モル％〜約２．０モル％を構成する、項目２９７から３０１のいずれか一項に記載の方法。
（項目３０６）
前記少なくとも１種の架橋剤が、前記カリウム結合ポリマーの約１．５モル％〜約１．６モル％を構成する、項目２９７から３０１のいずれか一項に記載の方法。
（項目３０７）
前記少なくとも１種の架橋剤が、前記カリウム結合ポリマーの約１．５モル％を構成する、項目２９７から３０１のいずれか一項に記載の方法。
（項目３０８）
前記少なくとも１種の架橋剤が、ジビニルベンゼンスルホネートである、項目２９７から３０７のいずれか一項に記載の方法。
（項目３０９）
前記少なくとも１種のモノマーが、スチレンスルホネートである、項目２９７から３０８のいずれか一項に記載の方法。
（項目３１０）
前記カリウム結合ポリマーが、架橋ポリスチレンスルホネートの塩である、項目２９７から３０９のいずれか一項に記載の方法。
（項目３１１）
前記カリウム結合ポリマーが、１グラムのポリマー当たり約３グラムの水〜１グラムのポリマー当たり４．５グラムの水の水中膨潤率によって特徴付けられる、項目２９７から３１０のいずれか一項に記載の方法。
（項目３１２）
前記カリウム結合ポリマーが、１グラムのカリウム結合ポリマー当たり約１ｍＥｑ〜約４ｍＥｑのカリウム交換能力を有する、項目２９７から３１１のいずれか一項に記載の方法。
（項目３１３）
前記カリウム結合ポリマーが、２％未満の架橋によって特徴付けられる、項目２９７から３１２のいずれか一項に記載の方法。
（項目３１４）
前記カリウム結合ポリマーが、約１．８％の架橋によって特徴付けられ、ここで、約という用語が±１０％を意味する、項目２９７から３１２のいずれか一項に記載の方法。
（項目３１５）
前記患者が、高カリウム血症を経験している、項目２９７から３１４のいずれか一項に記載の方法。
（項目３１６）
前記患者が、ヒトである、項目２９７から３１５のいずれか一項に記載の方法。
（項目３１７）
高カリウム血症の臨床的徴候を示すか、または高カリウム血症を有することが疑われている患者の胃腸管からカリウムを除去する方法であって、カリウム結合ポリマーのカルシウム塩、またはその塩を、前記患者に投与する工程を含み、前記架橋カリウム結合ポリマーが、式（Ｉ）：
【化３２】
2018505262.tif 000010
［式中、
各Ｒ１は、Ｈ、置換または非置換（Ｃ１〜Ｃ６）アルキル、置換または非置換（Ｃ６〜Ｃ１８）アリール、−Ｓ（Ｏ）２ＯＨ、−ＯＳ（Ｏ）２ＯＨ、−Ｃ（Ｏ）ＯＨ、−ＰＯ（ＯＨ）２、−ＯＰ（ＯＨ）３、および−ＮＨＳ（Ｏ）２ＯＨからなる群から独立に選択され、
各Ｒ２は、Ｈ、置換または非置換（Ｃ１〜Ｃ６）アルキル、置換または非置換（Ｃ６〜Ｃ１８）アリール、−Ｓ（Ｏ）２ＯＨ、−ＯＳ（Ｏ）２ＯＨ、−Ｃ（Ｏ）ＯＨ、−ＰＯ（ＯＨ）２、−ＯＰ（ＯＨ）３、および−ＮＨＳ（Ｏ）２ＯＨからなる群から独立に選択され、
各Ｒ３は、Ｈ、ハロゲン、置換または非置換（Ｃ１〜Ｃ６）アルキル、置換または非置換（Ｃ６〜Ｃ１８）アリール、−Ｓ（Ｏ）２ＯＨ、−ＯＳ（Ｏ）２ＯＨ、−Ｃ（Ｏ）ＯＨ、−ＰＯ（ＯＨ）２、−ＯＰ（ＯＨ）３、および−ＮＨＳ（Ｏ）２ＯＨからなる群から独立に選択され、
各Ｘは、非存在であるか、または置換もしくは非置換（Ｃ１〜Ｃ６）アルキルおよび置換もしくは非置換（Ｃ６〜Ｃ１８）アリールからなる群から独立に選択され、
各Ｙは、置換または非置換（Ｃ１〜Ｃ６）アルキルおよび置換または非置換（Ｃ６〜Ｃ１８）アリールからなる群から独立に選択され、
ｍ対ｎのモル比は、約１２０：１〜約４０：１である］の構造を有し、５％未満の架橋によって特徴付けられる、方法。
（項目３１８）
ｍ対ｎの比が、約７０：１〜約５０：１である、項目３１７に記載の方法。
（項目３１９）
ｍ対ｎの比が、約７０：１〜約６０：１である、項目３１７または３１／に記載の方法。
（項目３２０）
ｍ対ｎの比が、約６８：１である、項目３１７から３１９のいずれか一項に記載の方法。
（項目３２１）
Ｙが、フェニルである、項目３１７から３２０のいずれか一項に記載の方法。
（項目３２２）
Ｘが、非存在またはフェニルである、項目３１７から３２１のいずれか一項に記載の方法。
（項目３２３）
ＸＲ１が、Ｙで置換されている炭素原子に結合しているとき、Ｘが、非存在であり、Ｒ１が、Ｈである、項目３１７から３２２のいずれか一項に記載の方法。
（項目３２４）
Ｒ１およびＲ２が、−Ｓ（Ｏ）２ＯＨである、項目３１７から３２３のいずれか一項に記載の方法。
（項目３２５）
前記カリウム結合ポリマーが、１グラムのポリマー当たり約３グラムの水〜１グラムのポリマー当たり約８グラムの水の水中膨潤率によって特徴付けられる、項目３１７から３２４のいずれか一項に記載の方法。
（項目３２６）
前記カリウム結合ポリマーが、１グラムのポリマー当たり約３グラムの水〜１グラムのポリマー当たり約４．５グラムの水の水中膨潤率によって特徴付けられる、項目３１７から３２５のいずれか一項に記載の方法。
（項目３２７）
前記カリウム結合ポリマーが、約１μｍ〜約１３０μｍの中位径を有する実質的に球状の粒子をさらに含む、項目３１７から３２６のいずれか一項に記載の方法。
（項目３２８）
前記中位径が、約６０μｍ〜約９０μｍである、項目３２７に記載の方法。
（項目３２９）
前記中位径が、約７０μｍ〜約８０μｍである、項目３２７または３２８に記載の方法。
（項目３３０）
前記中位径が、約７５μｍである、項目３２７から３２９のいずれか一項に記載の方法。
（項目３３１）
前記中位径が、約２０μｍ〜約５０μｍである、項目３２７に記載の方法。
（項目３３２）
前記中位径が、約３０μｍ〜約４０μｍである、項目３２７または３３１に記載の方法。
（項目３３３）
前記中位径が、約３５μｍである、項目３２７、３３１、および３３２のいずれか一項に記載の方法。
（項目３３４）
Ｄｖ（０．９）：Ｄｖ（０．５）の比が、約２またはそれ未満であり、Ｄｖ（０．５）：Ｄｖ（０．１）の比が、約５またはそれ未満である、項目３１７から３３３のいずれか一項に記載の方法。
（項目３３５）
Ｄｖ（０．９）：Ｄｖ（０．５）の比およびＤｖ（０．５）：Ｄｖ（０．１）の比が、それぞれ独立に、約２またはそれ未満である、項目３１７から３３４のいずれか一項に記載の方法。
（項目３３６）
前記カリウム結合ポリマーが、１グラムのカリウム結合ポリマー当たり約１ｍＥｑ〜約４ｍＥｑのカリウム交換能力を有する、項目３１７から３３５のいずれか一項に記載の方法。
（項目３３７）
前記カリウム結合ポリマーが、２％未満の架橋によって特徴付けられる、項目３１７から３３６のいずれか一項に記載の方法。
（項目３３８）
前記カリウム結合ポリマーが、約１．８％の架橋によって特徴付けられ、ここで、約という用語が±１０％を意味する、項目３１７から３３７のいずれか一項に記載の方法。
（項目３３９）
前記患者が、高カリウム血症を経験している、項目３１７から３３８のいずれか一項に記載の方法。
（項目３４０）
前記患者が、ヒトである、項目３１７から３３９のいずれか一項に記載の方法。
（項目３４１）
高カリウム血症の臨床的徴候を示すか、または高カリウム血症を有することが疑われている患者の胃腸管からカリウムを除去する方法であって、前記患者に、項目１、３８、６８、９２、１１６、１３９、１６３、および１８６のいずれか一項に記載の架橋カリウム結合ポリマー、またはその塩を投与することを含む方法。
（項目３４２）
下記の構造：
【化３３】
2018505262.tif 000011
［式中、ｍ対ｎのモル比は、約１２０：１〜約４０：１である］
を有する架橋カリウム結合ポリマーのカルシウム塩または薬学的に許容されるその塩であって、
前記架橋カリウム結合ポリマーは、５％未満の架橋によって特徴付けられる、架橋カリウム結合ポリマーのカルシウム塩または薬学的に許容されるその塩。
（項目３４３）
ｍ対ｎの比が、約７０：１〜約５０：１である、項目３４２に記載の架橋カリウム結合ポリマー。
（項目３４４）
ｍ対ｎの比が、約７０：１〜約６０：１である、項目３４２または３４３に記載の架橋カリウム結合ポリマー。
（項目３４５）
ｍ対ｎの比が、約６８：１である、項目３４２から３４４のいずれか一項に記載の架橋カリウム結合ポリマー。
（項目３４６）
１グラムのポリマー当たり約３グラムの水〜１グラムのポリマー当たり約８グラムの水の水中膨潤率によって特徴付けられる、項目３４２から３４５のいずれか一項に記載の架橋カリウム結合ポリマー。
（項目３４７）
１グラムのポリマー当たり約３グラムの水〜１グラムのポリマー当たり約４．５グラムの水の水中膨潤率によって特徴付けられる、項目３４２から３４６のいずれか一項に記載の架橋カリウム結合ポリマー。
（項目３４８）
１グラムのポリマー当たり約３．３グラムの水の水中膨潤率によって特徴付けられる、項目３４２から３４７のいずれか一項に記載の架橋カリウム結合ポリマー。
（項目３４９）
１グラムのポリマー当たり約４．３グラムの水の水中膨潤率によって特徴付けられる、項目３４２から３４７のいずれか一項に記載の架橋カリウム結合ポリマー。
（項目３５０）
約５μｍ〜約１３０μｍの中位径を有する実質的に球状の粒子をさらに含む、項目３４２から３４９のいずれか一項に記載の架橋カリウム結合ポリマー。
（項目３５１）
前記粒子が、約８０μｍ〜約１３０μｍの平均粒径Ｄｖ（０．９）を有する、項目３５０に記載の架橋カリウム結合ポリマー。
（項目３５２）
前記粒子が、約９０μｍ〜約１２０μｍの平均粒径Ｄｖ（０．９）を有する、項目３５０または３５１に記載の架橋カリウム結合ポリマー。
（項目３５３）
前記粒子が、約４０μｍ〜約７０μｍの平均粒径Ｄｖ（０．９）を有する、項目３５０に記載の架橋カリウム結合ポリマー。
（項目３５４）
前記粒子が、約５０μｍ〜約６０μｍの平均粒径Ｄｖ（０．９）を有する、項目３５０または３５３に記載の架橋カリウム結合ポリマー。
（項目３５５）
前記粒子が、約６０μｍ〜約９０μｍの平均粒径Ｄｖ（０．５）を有する、項目３５０から３５４のいずれか一項に記載の架橋カリウム結合ポリマー。
（項目３５６）
前記粒子が、約７０μｍ〜約８０μｍの平均粒径Ｄｖ（０．５）を有する、項目３５０から３５５のいずれか一項に記載の架橋カリウム結合ポリマー。
（項目３５７）
前記粒子が、約２０μｍ〜約５０μｍの平均粒径Ｄｖ（０．５）を有する、項目３５０から３５４のいずれか一項に記載の架橋カリウム結合ポリマー。
（項目３５８）
前記粒子が、約３０μｍ〜約４０μｍの平均粒径Ｄｖ（０．５）を有する、項目３５０から３５４および３５７のいずれか一項に記載の架橋カリウム結合ポリマー。
（項目３５９）
前記粒子が、約２０μｍ〜約７０μｍの平均粒径Ｄｖ（０．１）を有する、項目３５０から３５８のいずれか一項に記載の架橋カリウム結合ポリマー。
（項目３６０）
前記粒子が、約３０μｍ〜約６０μｍの平均粒径Ｄｖ（０．１）を有する、項目３５０から３５９のいずれか一項に記載の架橋カリウム結合ポリマー。
（項目３６１）
前記粒子が、約５μｍ〜約３０μｍの平均粒径Ｄｖ（０．１）を有する、項目３５０から３５８のいずれか一項に記載の架橋カリウム結合ポリマー。
（項目３６２）
前記粒子が、約６μｍ〜約２３μｍの平均粒径Ｄｖ（０．１）を有する、項目３５０から３５８および３６１のいずれか一項に記載の架橋カリウム結合ポリマー。
（項目３６３）
Ｄｖ（０．９）：Ｄｖ（０．５）の比が、約２またはそれ未満であり、Ｄｖ（０．５）：Ｄｖ（０．１）の比が、約５またはそれ未満である、項目３４２から３６２のいずれか一項に記載の架橋カリウム結合ポリマー。
（項目３６４）
Ｄｖ（０．９）：Ｄｖ（０．５）の比およびＤｖ（０．５）：Ｄｖ（０．１）の比が、それぞれ独立に、約２またはそれ未満である、項目３４２から３６３のいずれか一項に記載の架橋カリウム結合ポリマー。
（項目３６５）
１グラムのカリウム結合ポリマー当たり約１ｍＥｑ〜約４ｍＥｑのカリウム交換能力を有する、項目３４２から３６４のいずれか一項に記載の架橋カリウム結合ポリマー。
（項目３６６）
３．５超の口あたりスコアを有する、項目３４２から３６５のいずれか一項に記載の架橋カリウム結合ポリマー。
（項目３６７）
４．５超の口あたりスコアを有する、項目３４２から３６６のいずれか一項に記載の架橋カリウム結合ポリマー。
（項目３６８）
５．０超の口あたりスコアを有する、項目３４２から３６７のいずれか一項に記載の架橋カリウム結合ポリマー。
（項目３６９）
３％未満の架橋によって特徴付けられる、項目３４２から３６８のいずれか一項に記載の架橋カリウム結合ポリマー。
（項目３７０）
約１．８％の架橋によって特徴付けられ、ここで、約という用語が±２０％を意味する、項目３４２から３６８のいずれか一項に記載の架橋カリウム結合ポリマー。
（項目３７１）
約１．８％の架橋によって特徴付けられ、ここで、約という用語が±１０％を意味する、項目３４２から３６８のいずれか一項に記載の架橋カリウム結合ポリマー。
（項目３７２）
約１．８％の架橋によって特徴付けられ、ここで、約という用語が±５％を意味する、項目３４２から３６８のいずれか一項に記載の架橋カリウム結合ポリマー。
（項目３７３）
１．８％の架橋によって特徴付けられる、項目３４２から３６８のいずれか一項に記載の架橋カリウム結合ポリマー。
（項目３７４）
ｉ）約８６．５％〜約９１％の下記の構造：
【化３４】
2018505262.tif 000012
［式中、ｍ対ｎのモル比は、約１２０：１〜約４０：１である］
を有する架橋カリウム結合ポリマーのカルシウム塩または薬学的に許容されるその塩であって、
前記架橋カリウム結合ポリマーは、５％未満の架橋によって特徴付けられる、架橋カリウム結合ポリマーのカルシウム塩または薬学的に許容されるその塩；
ｉｉ）約２．０％〜約３．０％のクエン酸カルシウム四水和物；
ｉｉｉ）約２．０％〜約３．０％の無水クエン酸；
ｉｖ）約０．１％〜約１．０％のスクラロース；
ｖ）約２．０％〜約３．０％の人工のオレンジフレーバーの粉末；および
ｖｉ）約２．５％〜約３．５％のメチルセルロースＡ４Ｃ
を含む医薬組成物。
（項目３７５）
ｉ）約８６．５％〜約９１％の式（Ｉ）の架橋カリウム結合ポリマーのカルシウム塩または薬学的に許容されるその塩；
ｉｉ）約２．０％〜約３．０％のクエン酸カルシウム四水和物；
ｉｉｉ）約２．０％〜約３．０％の無水クエン酸；
ｉｖ）約０．１％〜約１％のスクラロース；
ｖ）約２．０％〜約３．０％の人工のオレンジフレーバーの粉末；および
ｖｉ）約２．５％〜約３．５％のメチルセルロースＡ４Ｃ
を含む医薬組成物。
（項目３７６）
ｉ）約８９％〜約９４．５％の下記の構造：
【化３５】
2018505262.tif 000013
［式中、ｍ対ｎのモル比は、約１２０：１〜約４０：１である］
を有する架橋カリウム結合ポリマーのカルシウム塩または薬学的に許容されるその塩であって、
前記架橋カリウム結合ポリマーは、５％未満の架橋によって特徴付けられる、架橋カリウム結合ポリマーのカルシウム塩または薬学的に許容されるその塩；
ｉｉ）約０．６％〜約１．６％のクエン酸カルシウム四水和物；
ｉｉｉ）約０．０２％〜約０．５％の無水クエン酸；
ｉｖ）約０．１％〜約１％のスクラロース；
ｖ）約０．６％〜約１．６％のバニリン粉末；
ｖｉ）約２．５％〜約３．５％のメチルセルロースＡ４Ｃ；および
ｖｉｉ）約１．６％〜約２．６％の二酸化チタン
を含む医薬組成物。
（項目３７７）
ｉ）約８９％〜約９４．５％の式（Ｉ）の架橋カリウム結合ポリマーのカルシウム塩または薬学的に許容されるその塩；
ｉｉ）約０．６％〜約１．６％のクエン酸カルシウム四水和物；
ｉｉｉ）約０．０２％〜約０．５％の無水クエン酸；
ｉｖ）約０．１％〜約１％のスクラロース；
ｖ）約０．６％〜約１．６％のバニリン粉末；
ｖｉ）約２．５％〜約３．５％のメチルセルロースＡ４Ｃ；および
ｖｉｉ）約１．６％〜約２．６％の二酸化チタン
を含む医薬組成物。
（項目３７８）
ｉ）約１０％〜約２６％の下記の構造：
【化３６】
2018505262.tif 000014
［式中、ｍ対ｎのモル比は、約１２０：１〜約４０：１である］
を有する架橋カリウム結合ポリマーのカルシウム塩または薬学的に許容されるその塩であって、
前記架橋カリウム結合ポリマーは、５％未満の架橋によって特徴付けられる、架橋カリウム結合ポリマーのカルシウム塩または薬学的に許容されるその塩；
ｉｉ）約０．１％〜約１．０％のクエン酸カルシウム四水和物；
ｉｉｉ）約０．０１５％〜約０．１５％の安息香酸；
ｉｖ）約０．１％〜約１％の無水クエン酸；
ｖ）約０．０１５％〜約０．１５％のスクラロース；
ｖｉ）約０．１％〜約１．０％の天然のオレンジＷＯＮＦ  ＦＶ７４６６；
ｖｉｉ）約０．１％〜約１．０％のキサンタンガムｃｐ；および
ｖｉｉｉ）約７３．７％〜約８５．５７％の水
を含む医薬組成物。
（項目３７９）
ｉ）約１０％〜約２６％の式（Ｉ）の架橋カリウム結合ポリマーのカルシウム塩または薬学的に許容されるその塩；
ｉｉ）約０．１％〜約１．０％のクエン酸カルシウム四水和物；
ｉｉｉ）約０．０１５％〜約０．１５％の安息香酸；
ｉｖ）約０．１％〜約１％の無水クエン酸；
ｖ）約０．０１５％〜約０．１５％のスクラロース；
ｖｉ）約０．１％〜約１．０％の天然のオレンジＷＯＮＦ  ＦＶ７４６６；
ｖｉｉ）約０．１％〜約１．０％のキサンタンガムｃｐ；および
ｖｉｉｉ）約７３．７％〜約８５．５７％の水
を含む医薬組成物。
（項目３８０）
ｉ）約１０％〜約２６％の下記の構造：
【化３７】
2018505262.tif 000015
［式中、ｍ対ｎのモル比は、約１２０：１〜約４０：１である］
を有する架橋カリウム結合ポリマーのカルシウム塩または薬学的に許容されるその塩であって、
前記架橋カリウム結合ポリマーは、５％未満の架橋によって特徴付けられる、架橋カリウム結合ポリマーのカルシウム塩または薬学的に許容されるその塩；
ｉｉ）約０．０１％〜約０．５％のクエン酸カルシウム四水和物；
ｉｉｉ）約０．０１％〜約０．１％のソルビン酸；
ｉｖ）約０．００１％〜約０．１％の無水クエン酸；
ｖ）約０．０５％〜約０．１５％のスクラロース；
ｖｉ）約０．１％〜約１．０％のＳｕｐｅｒＶａｎ  ａｒｔバニラＶＭ３６；
ｖｉｉ）約０．１％〜約１．０％のキサンタンガムｃｐ；
ｖｉｉｉ）約０．１％〜約１．０％の二酸化チタン；および
ｉｘ）約７３．２％〜約８６．６５％の水
を含む医薬組成物。
（項目３８１）
ｉ）約１０％〜約２６％の式（Ｉ）の架橋カリウム結合ポリマーのカルシウム塩または薬学的に許容されるその塩；
ｉｉ）約０．０１％〜約０．５％のクエン酸カルシウム四水和物；
ｉｉｉ）約０．０１％〜約０．１％のソルビン酸；
ｉｖ）約０．００１％〜約０．１％の無水クエン酸；
ｖ）約０．０５％〜約０．１５％のスクラロース；
ｖｉ）約０．１％〜約１．０％のＳｕｐｅｒＶａｎ  ａｒｔバニラＶＭ３６；
ｖｉｉ）約０．１％〜約１．０％のキサンタンガムｃｐ；
ｖｉｉｉ）約０．１％〜約１．０％の二酸化チタン；および
ｉｘ）約７３．２％〜約８６．６５％の水
を含む医薬組成物。
（項目３８２）
ｍ対ｎの比が、約７０：１〜約５０：１である、項目３７４から３８１のいずれか一項に記載の医薬組成物。
（項目３８３）
ｍ対ｎの比が、約７０：１〜約６０：１である、項目３７４から３８２のいずれか一項に記載の医薬組成物。
（項目３８４）
ｍ対ｎの比が、約６８：１である、項目３７４から３８３のいずれか一項に記載の医薬組成物。
（項目３８５）
前記カリウム結合ポリマーが、１グラムのポリマー当たり約３グラムの水〜１グラムのポリマー当たり約８グラムの水の水中膨潤率によって特徴付けられる、項目３７４から３８４のいずれか一項に記載の医薬組成物。
（項目３８６）
前記カリウム結合ポリマーが、１グラムのポリマー当たり約３グラムの水〜１グラムのポリマー当たり約４．５グラムの水の水中膨潤率によって特徴付けられる、項目３７４から３８５のいずれか一項に記載の医薬組成物。
（項目３８７）
前記カリウム結合ポリマーが、１グラムのポリマー当たり約３．３グラムの水の水中膨潤率によって特徴付けられる、項目３７４から３８６のいずれか一項に記載の医薬組成物。
（項目３８８）
前記カリウム結合ポリマーが、１グラムのポリマー当たり約４．３グラムの水の水中膨潤率によって特徴付けられる、項目３７４から３８６のいずれか一項に記載の医薬組成物。
（項目３８９）
前記カリウム結合ポリマーが、約５μｍ〜約１３０μｍの中位径を有する実質的に球状の粒子をさらに含む、項目３７４から３８８のいずれか一項に記載の医薬組成物。
（項目３９０）
前記粒子が、約８０μｍ〜約１３０μｍの平均粒径Ｄｖ（０．９）を有する、項目３７４から３８９のいずれか一項に記載の医薬組成物。
（項目３９１）
前記粒子が、約９０μｍ〜約１２０μｍの平均粒径Ｄｖ（０．９）を有する、項目３７４から３９０のいずれか一項に記載の医薬組成物。
（項目３９２）
前記粒子が、約４０μｍ〜約７０μｍの平均粒径Ｄｖ（０．９）を有する、項目３７４から３８８のいずれか一項に記載の医薬組成物。
（項目３９３）
前記粒子が、約５０μｍ〜約６０μｍの平均粒径Ｄｖ（０．９）を有する、項目３７４から３８８および３９２のいずれか一項に記載の医薬組成物。
（項目３９４）
前記粒子が、約６０μｍ〜約９０μｍの平均粒径Ｄｖ（０．５）を有する、項目３７４から３９３のいずれか一項に記載の医薬組成物。
（項目３９５）
前記粒子が、約７０μｍ〜約８０μｍの平均粒径Ｄｖ（０．５）を有する、項目３７４から３９４のいずれか一項に記載の医薬組成物。
（項目３９６）
前記粒子が、約２０μｍ〜約５０μｍの平均粒径Ｄｖ（０．５）を有する、項目３７４から３９３のいずれか一項に記載の医薬組成物。
（項目３９７）
前記粒子が、約３０μｍ〜約４０μｍの平均粒径Ｄｖ（０．５）を有する、項目３７４から３９３および３９６のいずれか一項に記載の医薬組成物。
（項目３９８）
前記粒子が、約２０μｍ〜約７０μｍの平均粒径Ｄｖ（０．１）を有する、項目３７４から３９７のいずれか一項に記載の医薬組成物。
（項目３９９）
前記粒子が、約３０μｍ〜約６０μｍの平均粒径Ｄｖ（０．１）を有する、項目３７４から３９８のいずれか一項に記載の医薬組成物。
（項目４００）
前記粒子が、約５μｍ〜約３０μｍの平均粒径Ｄｖ（０．１）を有する、項目３７４から３９７のいずれか一項に記載の医薬組成物。
（項目４０１）
前記粒子が、約６μｍ〜約２３μｍの平均粒径Ｄｖ（０．１）を有する、項目３７４から３９７および４００のいずれか一項に記載の医薬組成物。
（項目４０２）
Ｄｖ（０．９）：Ｄｖ（０．５）の比が、約２またはそれ未満であり、Ｄｖ（０．５）：Ｄｖ（０．１）の比が、約５またはそれ未満である、項目３７４から４０１のいずれか一項に記載の医薬組成物。
（項目４０３）
Ｄｖ（０．９）：Ｄｖ（０．５）の比およびＤｖ（０．５）：Ｄｖ（０．１）の比が、それぞれ独立に、約２またはそれ未満である、項目３７４から４０２のいずれか一項に記載の医薬組成物。
（項目４０４）
前記カリウム結合ポリマーが、１グラムのカリウム結合ポリマー当たり約１ｍＥｑ〜約４ｍＥｑのカリウム交換能力を有する、項目３７４から４０３のいずれか一項に記載の医薬組成物。
（項目４０５）
前記カリウム結合ポリマーが、３．５超の口あたりスコアを有する、項目３７４から４０４のいずれか一項に記載の医薬組成物。
（項目４０６）
前記カリウム結合ポリマーが、４．５超の口あたりスコアを有する、項目３７４から４０５のいずれか一項に記載の医薬組成物。
（項目４０７）
前記カリウム結合ポリマーが、５．０超の口あたりスコアを有する、項目３７４から４０６のいずれか一項に記載の医薬組成物。
（項目４０８）
前記カリウム結合ポリマーが、３％未満の架橋によって特徴付けられる、項目３７４から４０７のいずれか一項に記載の医薬組成物。
（項目４０９）
前記カリウム結合ポリマーが、約１．８％の架橋によって特徴付けられ、ここで、約という用語が±２０％を意味する、項目３７４から４０８のいずれか一項に記載の医薬組成物。
（項目４１０）
前記カリウム結合ポリマーが、約１．８％の架橋によって特徴付けられ、ここで、約という用語が±１０％を意味する、項目３７４から４０８のいずれか一項に記載の医薬組成物。
（項目４１１）
前記カリウム結合ポリマーが、約１．８％の架橋によって特徴付けられ、ここで、約という用語が±５％を意味する、項目３７４から４０８のいずれか一項に記載の医薬組成物。
（項目４１２）
前記カリウム結合ポリマーが、１．８％の架橋によって特徴付けられる、項目３７４から４０８のいずれか一項に記載の医薬組成物。